(57)【要約】【課題】受信したファクシミリ情報の出力が長時間放置されることを抑制できる通信システム、サーバ装置およびクライアント装置を提供すること。【解決手段】本発明の第１の実施形態における通信システムでは、各クライアント側ＭＦＰ３１において、人感センサ４０により人が検出されると、人が検出されたことを示す人検出通知がサーバ側ＭＦＰ１へ通知される。そして、サーバ側ＭＦＰ１では、外部装置３００から送信されてくる原稿データを受信した場合に、その原稿データを、直近に人検出通知を通知してきたクライアント側ＭＦＰ３１へ転送する。よって、周辺に人がいる可能性が最も高いクライアント側ＭＦＰ３１へ原稿データを転送できるので、転送された原稿データが、クライアント側ＭＦＰ３１において出力され、その原稿が長時間（例えば、１〜２日など）放置されることを抑制することができる。【選択図】図７
2010045743.tif 000002
【特許請求の範囲】
【請求項１】
外部装置から送信されたファクシミリ情報を受信するサーバ装置と、そのサーバ装置から送信されるファクシミリ情報を受信するクライアント装置とを備えた通信システムにおいて、
前記クライアント装置は、
人体を検出する検出手段と、
その検出手段により人体が検出されたか否かを判定する検出判定手段と、
その検出判定手段により人体が検出されたと判定された場合に、その人体の検出を前記サーバ装置に対して通知する通知手段とを備え、
前記サーバ装置は、
前記外部装置から受信したファクシミリ情報を記憶する受信情報記憶手段と、
その受信情報記憶手段に記憶されるファクシミリ情報を、前記人体の検出を通知してきたクライアント装置に対して送信するファクシミリ情報送信手段とを備えていることを特徴とする通信システム。
【請求項２】
前記サーバ装置は、
前記受信情報記憶手段に記憶されるファクシミリ情報を、複数台のクライアント装置に対して送信可能に構成され、
前記人体の検出の通知を検出した場合に、その人体の検出が通知された順序と、前記人体の検出を通知してきたクライアント装置を識別する識別情報とを関連づけして記憶する順序記憶手段と、
その順序記憶手段に記憶される識別情報のうち、前記順序が最新の識別情報を取得する識別情報取得手段とを備え、
前記ファクシミリ情報送信手段は、前記識別情報取得手段により取得された識別情報により識別されるクライアント装置に対して、前記受信情報記憶手段に記憶されるファクシミリ情報を送信するものであることを特徴とする請求項１記載の通信システム。
【請求項３】
前記サーバ装置は、
前記人体の検出の通知を受信してからの経過時間が第１の所定時間以上となるクライアント装置への前記ファクシミリ情報送信手段によるファクシミリ情報の送信を禁止する送信禁止手段を備え、
前記ファクシミリ情報送信手段は、前記禁止手段により前記ファクシミリ情報の送信が禁止された後に、新たな前記人体の検出の通知を検出すると、その新たな前記人体の検出を通知してきたクライアント装置に対して前記ファクシミリ情報を送信するものであることを特徴とする請求項１又は２に記載の通信システム。
【請求項４】
前記サーバ装置とクライアント装置とは、電話回線網を介して接続可能に構成され、
前記クライアント装置の通知手段は、
前記検出判定手段により人体が検出されたと判定された場合に、前記電話回線網を介して前記サーバ装置との接続開始を要求する要求信号を送信する要求送信手段と、
その要求送信手段により前記要求信号を送信した後に、その要求信号に対応して所定間隔毎に送信されてくる呼出中信号を前記電話回線網を介して所定回数受信すると、前記要求送信手段により送信した要求信号に応じた接続開始の要求を中止する要求中止手段とを備え、
前記サーバ装置は、
前記クライアント装置から送信された要求信号に対応して所定間隔毎に送信されてくる呼出信号を受信した後に、前記クライアント装置との接続を確立すると、前記要求信号を送信してきたクライアント装置に前記電話回線網を介して応答信号を送信する応答送信手段と、
その応答送信手段により応答信号が送信される前に、前記呼出信号の受信回数が所定回数以下であると、前記要求信号を送信してきたクライアント装置の識別情報を取得し、その取得した識別情報を前記順序と関連づけして前記順序記憶手段に記憶する第１の記憶実行手段とを備えていることを特徴とする請求項２又は３に記載の通信システム。
【請求項５】
前記サーバ装置は、
前記呼出信号を受信する度に、呼出音を鳴動する鳴動手段と、
その鳴動手段による呼出音の鳴動を、前記所定回数の呼出信号を受信するまでの間禁止する鳴動禁止手段とを備えていることを特徴とする請求項４記載の通信システム。
【請求項６】
前記サーバ装置とクライアント装置とは、インターネット回線を介して接続可能に構成され、
前記クライアント装置の通知手段は、
前記検出判定手段により人体が検出されたと判定された場合に、その人体の検出を示す情報として自機を識別する識別情報を含む人体検出情報を前記インターネット回線を介して前記サーバ装置に送信するものであり、
前記サーバ装置は、
前記クライアント装置から前記インターネット回線を介して送信される人体検出情報を受信すると、その人体検出情報に含まれる識別情報を取得し、その取得した識別情報を前記順序と関連づけして前記順序記憶手段に記憶する第２の記憶実行手段を備えていることを特徴とする請求項２又は３に記載の通信システム。
【請求項７】
前記サーバ装置とクライアント装置とは、インターネット回線を介して接続可能に構成され、
前記クライアント装置の検出判定手段は、
個人を識別する個人情報が記憶されたＩＤカードを読み取る読取手段を備え、その読取手段により個人情報が読み取られた場合に、前記人体を検出したと判定するものであり、
前記クライアント装置の通知手段は、
前記読取手段により個人情報が読み取られると、その読み取られた個人情報と自機を識別する識別情報と含む個人検出情報を前記インターネット回線を介して前記サーバ装置に送信するものであり、
前記サーバ装置は、
前記ファクシミリ情報送信手段によるファクシミリ情報の送信を許容する個人情報を予め記憶する個人情報記憶手段と、
前記クライアント装置から前記インターネット回線を介して送信される個人検出情報を受信した場合に、その受信した個人検出情報に含まれる個人情報が、前記個人情報記憶手段に記憶されているか否かを判定する個人情報判定手段と、
その個人情報判定手段により前記クライアント装置から受信した個人検出情報に含まれる個人情報が、前記個人情報記憶手段に記憶されていると判定された場合に、前記個人検出情報に含まれる個人情報と識別情報とを取得し、その取得した個人情報および識別情報を前記順序と関連づけして前記順序記憶手段に記憶する第３の記憶実行手段とを備えていることを特徴とする請求項２又は３に記載の通信システム。
【請求項８】
前記クライアント装置は、
前記通知手段により人体の検出を通知してから第２の所定時間の間は、前記検出手段により人体が新たに検出されても、前記サーバ装置への前記人体の検出の通知を禁止する通知禁止手段を備えていることを特徴とする請求項１から７のいずれかに記載の通信システム。
【請求項９】
前記サーバ装置は、
前記クライアント装置に対してファクシミリ情報を送信した場合に、その送信履歴を記憶する履歴記憶手段と、
その履歴記憶手段に記憶されている送信履歴を外部に出力する出力手段とを備えていることを特徴とする請求項１から８のいずれかに記載の通信システム。
【請求項１０】
外部装置から送信されたファクシミリ情報を受信すると共に、その受信したファクシミリ情報を外部のクライアント装置に送信可能なサーバ装置において、
前記外部装置から受信したファクシミリ情報を記憶する受信情報記憶手段と、
前記クライアント装置から人体を検出した場合に送信される人体の検出の通知を記憶する通知記憶手段と、
その通知記憶手段に記憶される前記人体の検出の通知を送信してきたクライアント装置に対して、前記受信情報記憶手段に記憶されるファクシミリ情報を送信するファクシミリ情報送信手段とを備えていることを特徴とするサーバ装置。
【請求項１１】
外部装置から送信されたファクシミリ情報を受信するサーバ装置からファクシミリ情報を受信可能なクライアント装置において、
人体を検出する検出手段と、
その検出手段により人体が検出されたか否かを判定する検出判定手段と、
その検出判定手段により人体が検出されたと判定された場合に、その人体の検知を前記サーバ装置に対して通知する通知手段と、
その通知手段により人体の検出を通知したサーバ装置から送信されるファクシミリ情報を受信するファクシミリ情報受信手段とを備えていることを特徴とするクライアント装置。
【発明の詳細な説明】
【技術分野】
【０００１】
本発明は、通信システム、サーバ装置およびクライアント装置に関するものである。
【背景技術】
【０００２】
特開平９−８３７１４号公報（特許文献１）には、ファクシミリ情報を転送可能な出力機器（例えば、ファクシミリ装置）を予め記憶しておき、自機において紙切れなどの印刷不可状態が検出されると、他の出力機器にファクシミリ情報を転送するファクシミリ装置が開示されている。
【特許文献１】特開平９−８３７１４号公報
【発明の開示】
【発明が解決しようとする課題】
【０００３】
しかしながら、自機において印刷不可状態が検出され、予め記憶した他の出力機器に対してファクシミリ情報を転送することで、自機が受信したファクシミリ情報を蓄積することなく迅速に出力することはできるが、他の出力機器の周りに人がいなければ、ファクシミリ情報を迅速に出力したとしても、その出力された印刷物などが長時間放置されてしまうという問題点があった。
【０００４】
本発明は上述した問題点を解決するためになされたものであり、受信したファクシミリ情報の出力が長時間放置されることを抑制できる通信システム、サーバ装置およびクライアント装置を提供することを目的としている。
【課題を解決するための手段】
【０００５】
この目的を達成するために、請求項１記載の通信システムは、外部装置から送信されたファクシミリ情報を受信するサーバ装置と、そのサーバ装置から送信されるファクシミリ情報を受信するクライアント装置とを備えており、前記クライアント装置は、人体を検出する検出手段と、その検出手段により人体が検出されたか否かを判定する検出判定手段と、その検出判定手段により人体が検出されたと判定された場合に、その人体の検出を前記サーバ装置に対して通知する通知手段とを備え、前記サーバ装置は、前記外部装置から受信したファクシミリ情報を記憶する受信情報記憶手段と、その受信情報記憶手段に記憶されるファクシミリ情報を、前記人体の検出を通知してきたクライアント装置に対して送信するファクシミリ情報送信手段とを備えている。
【０００６】
請求項２記載の通信システムは、請求項１に記載の通信システムにおいて、前記サーバ装置は、前記受信情報記憶手段に記憶されるファクシミリ情報を、複数台のクライアント装置に対して送信可能に構成され、前記人体の検出の通知を検出した場合に、その人体の検出が通知された順序と、前記人体の検出を通知してきたクライアント装置を識別する識別情報とを関連づけして記憶する順序記憶手段と、その順序記憶手段に記憶される識別情報のうち、前記順序が最新の識別情報を取得する識別情報取得手段とを備え、前記ファクシミリ情報送信手段は、前記識別情報取得手段により取得された識別情報により識別されるクライアント装置に対して、前記受信情報記憶手段に記憶されるファクシミリ情報を送信するものである。
【０００７】
請求項３記載の通信システムは、請求項１又は２に記載の通信システムにおいて、前記サーバ装置は、前記人体の検出の通知を受信してからの経過時間が第１の所定時間以上となるクライアント装置への前記ファクシミリ情報送信手段によるファクシミリ情報の送信を禁止する送信禁止手段を備え、前記ファクシミリ情報送信手段は、前記禁止手段により前記ファクシミリ情報の送信が禁止された後に、新たな前記人体の検出の通知を検出すると、その新たな前記人体の検出を通知してきたクライアント装置に対して前記ファクシミリ情報を送信するものである。
【０００８】
請求項４記載の通信システムは、請求項２又は３に記載の通信システムにおいて、前記サーバ装置とクライアント装置とは、電話回線網を介して接続可能に構成され、前記クライアント装置の通知手段は、前記検出判定手段により人体が検出されたと判定された場合に、前記電話回線網を介して前記サーバ装置との接続開始を要求する要求信号を送信する要求送信手段と、その要求送信手段により前記要求信号を送信した後に、その要求信号に対応して所定間隔毎に送信されてくる呼出中信号を前記電話回線網を介して所定回数受信すると、前記要求送信手段により送信した要求信号に応じた接続開始の要求を中止する要求中止手段とを備え、前記サーバ装置は、前記クライアント装置から送信された要求信号に対応して所定間隔毎に送信されてくる呼出信号を受信した後に、前記クライアント装置との接続を確立すると、前記要求信号を送信してきたクライアント装置に前記電話回線網を介して応答信号を送信する応答送信手段と、その応答送信手段により応答信号が送信される前に、前記呼出信号の受信回数が所定回数以下であると、前記要求信号を送信してきたクライアント装置の識別情報を取得し、その取得した識別情報を前記順序と関連づけして前記順序記憶手段に記憶する第１の記憶実行手段とを備えている。
【０００９】
請求項５記載の通信システムは、請求項４記載の通信システムにおいて、前記サーバ装置は、前記呼出信号を受信する度に、呼出音を鳴動する鳴動手段と、その鳴動手段による呼出音の鳴動を、前記所定回数の呼出信号を受信するまでの間禁止する鳴動禁止手段とを備えている。
【００１０】
請求項６記載の通信システムは、請求項２又は３に記載の通信システムにおいて、前記サーバ装置とクライアント装置とは、インターネット回線を介して接続可能に構成され、前記クライアント装置の通知手段は、前記検出判定手段により人体が検出されたと判定された場合に、その人体の検出を示す情報として自機を識別する識別情報を含む人体検出情報を前記インターネット回線を介して前記サーバ装置に送信するものであり、前記サーバ装置は、前記クライアント装置から前記インターネット回線を介して送信される人体検出情報を受信すると、その人体検出情報に含まれる識別情報を取得し、その取得した識別情報を前記順序と関連づけして前記順序記憶手段に記憶する第２の記憶実行手段を備えている。
【００１１】
なお、請求項６における人体検出情報に含まれる識別情報としては、クライアント装置のインターネット回線上における番地（例えば、ＩＰアドレスなど）や、クライアント装置毎に定められたＩＤ、クライアント装置のインターネット回線上の呼称を示す文字列などが例示される。また、人体検出情報には、クライアント装置を識別可能な情報が含まれれば良いので、番地、ＩＤ、文字列のうち１つ、又は、少なくとも１以上を組み合わせて構成するものとしても良い。
【００１２】
請求項７記載の通信システムは、請求項２又は３に記載の通信システムにおいて、前記サーバ装置とクライアント装置とは、インターネット回線を介して接続可能に構成され、前記クライアント装置の検出判定手段は、個人を識別する個人情報が記憶されたＩＤカードを読み取る読取手段を備え、その読取手段により個人情報が読み取られた場合に、前記人体を検出したと判定するものであり、前記クライアント装置の通知手段は、前記読取手段により個人情報が読み取られると、その読み取られた個人情報と自機を識別する識別情報と含む個人検出情報を前記インターネット回線を介して前記サーバ装置に送信するものであり、前記サーバ装置は、前記ファクシミリ情報送信手段によるファクシミリ情報の送信を許容する個人情報を予め記憶する個人情報記憶手段と、前記クライアント装置から前記インターネット回線を介して送信される個人検出情報を受信した場合に、その受信した個人検出情報に含まれる個人情報が、前記個人情報記憶手段に記憶されているか否かを判定する個人情報判定手段と、その個人情報判定手段により前記クライアント装置から受信した個人検出情報に含まれる個人情報が、前記個人情報記憶手段に記憶されていると判定された場合に、前記個人検出情報に含まれる個人情報と識別情報とを取得し、その取得した個人情報および識別情報を前記順序と関連づけして前記順序記憶手段に記憶する第３の記憶実行手段とを備えている。
【００１３】
なお、請求項７における個人検出情報に含まれる識別情報としては、クライアント装置のインターネット回線上における番地（例えば、ＩＰアドレス）や、クライアント装置毎に定められたＩＤ、クライアント装置のインターネット回線上の呼称を示す文字列などが例示される。また、個人検出情報には、クライアント装置を識別可能な情報が含まれれば良いので、番地、ＩＤ、文字列のうち１つ、又は、少なくとも１以上を組み合わせて構成するものとしても良い。
【００１４】
請求項８記載の通信システムは、請求項１から７のいずれかに記載の通信システムにおいて、前記クライアント装置は、前記通知手段により人体の検出を通知してから第２の所定時間の間は、前記検出手段により人体が新たに検出されても、前記サーバ装置への前記人体の検出の通知を禁止する通知禁止手段を備えている。
【００１５】
請求項９記載の通信システムは、請求項１から８のいずれかに記載の通信システムにおいて、前記サーバ装置は、前記クライアント装置に対してファクシミリ情報を送信した場合に、その送信履歴を記憶する履歴記憶手段と、その履歴記憶手段に記憶されている送信履歴を外部に出力する出力手段とを備えている。
【００１６】
なお、出力手段による出力は、サーバ装置において送信履歴を印刷しても良いし、サーバ装置に表示部を設けその表示部に送信履歴を表示しても良いし、クライアント装置に送信履歴を送信し、クライアント装置において送信履歴を印刷しても良いし、クライアント装置の表示部に送信履歴を表示しても良い。
【００１７】
請求項１０記載のサーバ装置は、外部装置から送信されたファクシミリ情報を受信すると共に、その受信したファクシミリ情報を外部のクライアント装置に送信可能であり、前記外部装置から受信したファクシミリ情報を記憶する受信情報記憶手段と、前記クライアント装置から人体を検出した場合に送信される人体の検出の通知を記憶する通知記憶手段と、その通知記憶手段に記憶される前記人体の検出の通知を送信してきたクライアント装置に対して、前記受信情報記憶手段に記憶されるファクシミリ情報を送信するファクシミリ情報送信手段とを備えている。
【００１８】
請求項１１記載のクライアント装置は、外部装置から送信されたファクシミリ情報を受信するサーバ装置からファクシミリ情報を受信可能であり、人体を検出する検出手段と、その検出手段により人体が検出されたか否かを判定する検出判定手段と、その検出判定手段により人体が検出されたと判定された場合に、その人体の検出を前記サーバ装置に対して通知する通知手段と、その通知手段により人体の検出を通知したサーバ装置から送信されるファクシミリ情報を受信するファクシミリ情報受信手段とを備えている。
【発明の効果】
【００１９】
請求項１記載の通信システムによれば、クライアント装置では、人体が検出手段により検出され、検出判定手段により人体が検出されたと判定されると、その人体の検出がサーバ装置に対して通知手段により通知される。一方、サーバ装置では、外部装置から受信したファクシミリ情報が受信情報記憶手段に記憶され、その受信情報記憶手段に記憶されるファクシミリ情報が、人体の検出を通知してきたクライアント装置に対してファクシミリ情報送信手段により送信される。よって、外部装置から送信されたファクシミリ情報をサーバ装置が受信し、その受信したファクシミリ情報が、人体が検出されたクライアント装置に対して送信されるので、クライアント装置においてファクシミリ情報が出力される（例えば、印刷される）と、その出力されたファクシミリ情報をクライアント装置の周りにいるユーザに認識させることができる。従って、サーバ装置が受信したファクシミリ情報の出力が長時間放置されることを抑制できるという効果がある。
【００２０】
請求項２記載の通信システムによれば、請求項１記載の通信システムの奏する効果に加え、サーバ装置では、人体の検出の通知を検出すると、その人体の検出が通知された順序と、人体の検出を通知してきたクライアント装置を識別する識別情報とが関連づけされて順序記憶手段に記憶され、その順序記憶手段に記憶される識別情報のうち順序が最新の識別情報が識別情報取得手段により取得される。そして、複数台のクライアント装置のうち、識別情報取得手段により取得された識別情報により識別されるクライアント装置に対して、受信情報記憶手段に記憶されるファクシミリ情報がファクシミリ情報送信手段により送信される。ここで、クライアント装置から人体の検出の通知を受信したとしても、その人体の検出の通知を受信してから長時間が経過していれば、クライアント装置の周りにユーザがいない可能性もある。しかし、サーバ装置は、クライアント装置から送信される人体の検出の通知の順序が最新のクライアント装置に対してファクシミリ情報を送信するので、ファクシミリ情報を送信したクライアント装置の周りにユーザがいる可能性が高くなり、ファクシミリ情報の出力が長時間放置されることを抑制できるという効果がある。
【００２１】
請求項３記載の通信システムによれば、請求項１又は２に記載の通信システムの奏する効果に加え、サーバ装置では、人体の検出の通知を検出してからの経過時間が第１の所定時間以上となるクライアント装置へのファクシミリ情報送信手段によるファクシミリ情報の送信が送信禁止手段により禁止される。そして、送信禁止手段によりファクシミリ情報の送信が禁止された後に、新たな人体の検出の通知を検出すると、その新たな人体の検出を通知してきたクライアント装置に対してファクシミリ情報送信手段によりファクシミリ情報が送信される。よって、人体の検出の通知を検出してから第１の所定時間以上が経過しておりクライアント装置の周りにユーザがいない可能性が高い場合には、そのクライアント装置へのファクシミリ情報の送信が禁止されるので、クライアント装置において出力されたファクシミリ情報が長時間放置される可能性を低くできるという効果がある。
【００２２】
また、送信禁止手段によりファクシミリ情報の送信が禁止された後に、新たな人体の検出の通知を検出すると、その新たな人体の検出を通知してきたクライアント装置に対してファクシミリ情報送信手段によりファクシミリ情報が送信されるので、サーバ装置においてファクシミリ情報が蓄積され続けることを防止しつつ、ユーザが周りにいるクライアント装置に対して極力迅速にファクシミリ情報を送信できるという効果がある。
【００２３】
請求項４記載の通信システムによれば、請求項２又は３に記載の通信システムの奏する効果に加え、クライアント装置では、検出判定手段により人体が検出されたと判定されると、電話回線網を介してサーバ装置との接続開始を要求する要求信号が要求送信手段により送信され、その要求送信手段により要求信号を送信した後に、その要求信号に対応して所定間隔毎に送信されてくる呼出中信号を電話回線網を介して所定回数受信すると、要求送信手段により送信した要求信号に応じた接続開始の要求が要求中止手段により中止される。一方、サーバ装置では、クライアント装置から送信された要求信号に対応して所定間隔毎に送信されてくる呼出信号を受信した後にクライアント装置との接続が確立されると、要求信号を送信してきたクライアント装置に電話回線網を介して応答信号が応答送信手段により送信されるが、その応答送信手段により応答信号が送信される前に、呼出信号の受信回数が所定回数以下であると、要求信号を送信してきたクライアント装置の識別情報が取得され、その取得された識別情報に順序が関連づけされて順序記憶手段に記憶される。
【００２４】
よって、クライアント装置において、要求信号に対応して送信されてくる呼出中信号を所定回数受信したら直ぐに要求信号に応じた接続開始の要求が中止される結果、サーバ装置では、呼出信号の受信回数が所定回数以下となりクライアント装置の識別情報を順序記憶手段に記憶できるので、クライアント装置から要求信号が送信されることに基づいて人体の検出の通知を検出することができる。一般的に、電話回線網では、サーバ装置とクライアント装置との接続が確立した場合に課金されるが、サーバ装置とクライアント装置との接続が確立される前に人体の検出の通知をサーバ装置が検出できるので、クライアント装置からの人体の検出の通知を電話回線網を介して行う場合に課金されることを防止できるという効果がある。
【００２５】
請求項５記載の通信システムによれば、請求項４記載の通信システムの奏する効果に加え、サーバ装置では、電話回線網を介して呼出信号を受信する度に呼出音が鳴動手段により鳴動されるが、所定回数の呼出信号を受信するまでの間は、鳴動手段による呼出音の鳴動が鳴動禁止手段により禁止される。よって、クライアント装置から電話回線網を介して人体の検出の通知を行う場合には、鳴動手段により呼出音が鳴動されないので、クライアント装置とサーバ装置との間の接続が確立される操作（例えば、受話器を取る操作）がサーバ側のユーザにより行われることを抑制でき、クライアント装置からの人体の検出の通知を電話回線網を介して行う場合の課金を確実に防止できるという効果がある。
【００２６】
また、クライアント装置から人体の検出の通知が行われる度に呼出音が鳴動されると、サーバ装置の周りにいるユーザは不快に感じるが、人体の検出の通知に対応した呼出音の鳴動が禁止されるので、サーバ装置の周りにいるユーザが不快に感じることを防止できるという効果がある。
【００２７】
請求項６記載の通信システムによれば、請求項２又は３に記載の通信システムの奏する効果に加え、クライアント装置では、検出判定手段により人体が検出されたと判定されると、その人体の検出を示す情報として自機を識別する識別情報を含む人体検出情報がインターネット回線を介してサーバ装置に送信され、サーバ装置では、クライアント装置からインターネット回線を介して送信される人体検出情報を受信すると、その人体検出情報に含まれる識別情報を取得し、その取得した識別情報に順序を関連づけして順序記憶手段に記憶される。よって、クライアント装置からインターネット回線を介して送信される人体検出情報によって、人体の検出の通知を判断できると共にクライアント装置を識別できるので、人体の検出の通知およびクライアント装置の識別を簡単に行うことができるという効果がある。
【００２８】
請求項７記載の通信システムによれば、請求項２又は３に記載の通信システムの奏する効果に加え、クライアント装置では、個人を識別する個人情報が記憶されたＩＤカードが読取手段により読み取られると、検出判定手段により人体が検出されたと判定され、その読み取られた個人情報と自機を識別する識別情報とを含む個人検出情報がインターネット回線を介してサーバ装置に送信される。一方、サーバ装置では、ファクシミリ情報送信手段によりファクシミリ情報の送信を許容する個人情報が個人情報記憶手段に予め記憶されており、クライアント装置からインターネット回線を介して送信される個人検出情報を受信すると、その受信した個人検出情報に含まれる個人情報が、個人情報記憶手段に記憶されているか否かが個人情報判定手段により判定される。そして、その判定結果として、受信した個人情報が個人情報記憶手段に記憶されていると判定されると、個人検出情報に含まれる個人情報と識別情報とを取得し、その取得した個人情報および識別情報に順序を関連づけして順序記憶手段に記憶される。よって、サーバ装置からは、クライアント装置の周りに人がいるだけでなく、その周りにいる個人がファクシミリ情報の送信を許容する相手である場合にファクシミリ情報が送信されるので、特定の個人以外に認識されたくないファクシミリ情報が、特定の個人以外に認識されてしまうことを防止できるという効果がある。
【００２９】
請求項８記載の通信システムによれば、請求項１から７のいずれかに記載の通信システムの奏する効果に加え、クライアント装置は、通知手段により人体の検出を通知してから第２の所定時間の間は、検出手段により人体が新たに検出されても、サーバ装置への人体の検出の通知が通知禁止手段により禁止される。ここで、検出手段により人体が検出される度にクライアント装置からサーバ装置に人体の検出の通知がなされると、クライアント装置およびサーバ装置ともに制御に負担がかかる。しかし、人体の検出の通知がなされてから第２の所定時間の間は、クライアント装置からサーバ装置への新たな人体検知の通知が禁止されるので、クライアント装置およびサーバ装置の制御負担を軽減できるという効果がある。
【００３０】
請求項９記載の通信システムによれば、請求項１から８のいずれかに記載の通信システムの奏する効果に加え、サーバ装置では、クライアント装置に対してファクシミリ情報を送信した場合に、その送信履歴が履歴記憶手段に記憶され、その履歴記憶手段に記憶されている送信履歴が出力手段により外部に出力される。よって、出力手段により出力された通信履歴を確認することで、ファクシミリ情報が送信されたクライアント装置を確認できるという効果がある。
【００３１】
請求項１０記載のサーバ装置によれば、外部装置から受信したファクシミリ情報が受信情報記憶手段に記憶され、クライアント装置から人体を検出した場合に送信される人体の検出の通知が通知記憶手段に記憶される。そして、通知記憶手段に記憶される人体の検出の通知を送信してきたクライアント装置に対して、受信情報記憶手段に記憶されるファクシミリ情報がファクシミリ情報送信手段により送信される。よって、サーバ装置は、クライアント装置の周りにユーザがいるクライアント装置に対してファクシミリ情報を送信できるので、送信先であるクライアント装置でファクシミリ情報の出力が長時間放置されることを抑制できるという効果がある。
【００３２】
請求項１１記載のクライアント装置によれば、人体が検出手段により検出され、検出判定手段により人体が検出手段により検出されたと判定されると、その人体の検出がサーバ装置に対して通知手段により通知される。そして、通知手段により人体の検出を通知したサーバ装置からファクシミリ情報が送信されると、そのファクシミリ情報が受信手段により受信される。よって、クライアント装置の周りにユーザがいる場合に、サーバ装置からファクシミリ情報を受信できるので、受信したファクシミリ情報の出力が長時間放置されることを抑制できるという効果がある。
【発明を実施するための最良の形態】
【００３３】
以下、本発明の好ましい実施形態について、添付図面を参照して説明する。図１は、本発明の第１の実施形態におけるサーバ装置を有した多機能周辺装置（以下、「サーバ側ＭＦＰ（Ｍｕｌｔｉ  Ｆｕｎｃｔｉｏｎ  Ｐｅｒｉｐｈｅｒａｌ）」と称す）１と、クライアント装置を有した多機能周辺装置（以下、「クライアント側ＭＦＰ」と称す）３１との電気的構成を示すブロック図である。
【００３４】
本発明の第１の実施形態における通信システムは、一のサーバ側ＭＦＰ１と、複数のクライアント側ＭＦＰ３１とにより構成されたファクシミリ転送システムであり、各クライアント側ＭＦＰ３１には、人を検出する人感センサ４０が設けられており、人が検出されたら、人が検出されたことを示す人検出通知をサーバ側ＭＦＰ１へ通知し、サーバ側ＭＦＰ１では、外部装置３００から送信されてくる原稿の画像データ（以下、「原稿データ」と称す）を受信した場合に、その原稿データを、直近に人検出通知を通知してきたクライアント側ＭＦＰ３１へ転送するものである。つまり、本実施形態のファクシミリ転送システムによれば、サーバ側ＭＦＰ１が受信した原稿データを、人のいる可能性の高いクライアント側ＭＦＰ３１へ転送できるので、転送先で原稿が長時間（例えば、１〜２日）放置されることを抑制することができる。
【００３５】
図１に示すように、サーバ側ＭＦＰ１、複数のクライアント側ＭＦＰ３１、および、外部装置３００は、それぞれ電話回線網１００に接続されている。サーバ側ＭＦＰ１は、電話回線網１００を介して何れかのクライアント側ＭＦＰ３１、または、外部装置３００とファクシミリ通信可能に構成されている。また、サーバ側ＭＦＰ１、および、複数のクライアント側ＭＦＰ３１は、それぞれインターネット２００に接続されており、そのインターネット２００を介して互いにデータ通信可能に構成されている。なお、サーバ側ＭＦＰ１、および、各クライアント側ＭＦＰ３１はそれぞれ、プリンタ機能、スキャナ機能、コピー機能、及び、ナンバーディスプレイ機能などの各種機能も有している。
【００３６】
図１に示すように、サーバ側ＭＦＰ１は、ＣＰＵ１１、ＲＯＭ１２、ＲＡＭ１３、フラッシュメモリ１４、操作キー１５、ＬＣＤ１６、ＬＡＮインターフェース１７、計時回路１８、スキャナ２０、プリンタ２１、スピーカ２２、モデム２３、および、ＮＣＵ２４を主に有している。
【００３７】
ＣＰＵ１１、ＲＯＭ１２、ＲＡＭ１３、および、フラッシュメモリ１４は、バスライン２６を介して互いに接続されている。また、操作キー１５、ＬＣＤ１６、ＬＡＮインターフェース１７、計時回路１８、スキャナ２０、プリンタ２１、スピーカ２２、モデム２３、ＮＣＵ２４、および、バスライン２６は、入出力ポート２７を介して互いに接続されている。また、モデム２３とＮＣＵ２４とは互いに接続されている。
【００３８】
ＣＰＵ１１は、ＲＯＭ１２やＲＡＭ１３やフラッシュメモリ１４に記憶される固定値やプログラム、或いは、ＬＡＮインターフェース１７を介して送受信される各種信号に従って、サーバ側ＭＦＰ１が有している各機能の制御や、入出力ポート２７と接続された各部を制御するものである。
【００３９】
ＲＯＭ１２は、サーバ側ＭＦＰ１で実行される制御プログラムなどを格納した書換不能なメモリである。図３のフローチャートに示す設定処理、図４のフローチャートに示すメイン処理、図５のフローチャートに示すクライアント管理テーブル更新処理、図６のフローチャートに示す着信処理、図７のフローチャートに示す原稿データ転送処理を実行する各プログラムは、このＲＯＭ１２に格納されている。
【００４０】
ＲＡＭ１３は、書き替え可能な揮発性のメモリであり、サーバ側ＭＦＰ１の各操作の実行時に各種のデータを一時的に記憶するためのメモリである。フラッシュメモリ１４は書換可能な不揮発性のメモリであり、このフラッシュメモリ１４に記憶されたデータは、サーバ側ＭＦＰ１の電源オフ後も保持される。
【００４１】
フラッシュメモリ１４には、クライアント管理テーブルメモリ１４ａと、サーバ情報メモリ１４ｂと、原稿データメモリ１４ｃと、ＩＰ通知受信フラグメモリ１４ｄと、原稿データ蓄積フラグメモリ１４ｅと、通知待ちフラグメモリ１４ｆと、転送履歴メモリ１４ｇとが設けられている。クライアント管理テーブルメモリ１４ａは、原稿データの転送先であるクライアント側ＭＦＰ３１についての情報を示すクライアント管理テーブルを記憶するためのメモリであり、サーバ情報メモリ１４ｂは、サーバ側ＭＦＰ１についての情報（以下、「サーバ情報」と称する）を記憶するためのメモリである。
【００４２】
ここで、図２（ａ）を参照して、クライアント管理テーブルメモリ１４ａについて説明し、続けて、図２（ｂ）を参照して、サーバ情報メモリ１４ｂについて説明する。図２（ａ）は、クライアント管理テーブルメモリ１４ａに記憶されているクライアント管理テーブルの内容の一例を示す概略図である。
【００４３】
クライアント管理テーブルメモリ１４ａは、原稿データの転送先であるクライアント側ＭＦＰ３１についての情報を示すクライアント管理テーブルを記憶するためのメモリである。クライアント管理テーブルには、例えば、図２（ａ）に示すように、一行ごとに、一のクライアント側ＭＦＰ３１についての情報（以下、「クライアント情報」と称する）が記憶される。一のクライアント情報は、一のクライアント側ＭＦＰ３１のクライアント名、電話番号、ＩＰアドレス、および、最終通知日時により構成されている。なお、最終通知日時とは、サーバ側ＭＦＰ１が、一のクライアント側ＭＦＰ３１から最後に人検出通知を受信した日時を示している。
【００４４】
例えば、図２（ａ）に示すように、一のクライアント情報は、クライアント名「Ａ営業所」、電話番号「０３−＊＊＊＊−１１１１」、ＩＰアドレス「１９２．＊＊＊．１．１」、最終通知日時「２００８／７／２  ９：００」という情報で構成されている。この場合は、「Ａ営業所」という名称で、電話番号が「０３−＊＊＊＊−１１１１」であり、さらに、ＩＰアドレスが、「１９２．＊＊＊．１．１」であるクライアント側ＭＦＰ３１から最後に人検出通知を受信した日時が、２００８年７月２日９時であることを示している。その他のクライアント情報についても、同様な説明となるのでその説明を省略する。
【００４５】
次に、図２（ｂ）を参照して、サーバ情報メモリ１４ｂについて説明する。図２（ｂ）は、サーバ情報メモリ１４ｂに記憶されているサーバ情報の内容の一例を示す概略図である。
【００４６】
サーバ情報メモリ１４ｂは、自機についての情報（サーバ情報）を記憶するためのメモリであり、サーバ情報は、サーバ側ＭＦＰ１の名称（即ち、自機の名称）、電話番号（即ち、自機の電話番号）、および、ＩＰアドレス（即ち、自機のＩＰアドレス）により構成されている。例えば、図２（ｂ）に示すように、（自機の）名称「本社」と、（自機の）電話番号「０３−＊＊＊＊−９９９９」と、（自機の）ＩＰアドレス「１９２．＊＊＊．１．９９」という情報で構成されている。
【００４７】
ここで、図１の説明に戻る。原稿データメモリ１４ｃは、外部装置３００から送信されてくる原稿データを記憶（蓄積）するためのメモリである。ＩＰ通知受信フラグメモリ１４ｄは、ＩＰ通知受信フラグを記憶するためのメモリである。
【００４８】
ＩＰ通知受信フラグは、クライアント側ＭＦＰ３１から通知される人検出通知を受信する場合に、インターネット２００を介して受信するか、電話回線網１００を介して受信するかのうち、どちらで受信するかを示すためのフラグである。ＩＰ通知受信フラグがオンの場合には、インターネット２００を介して通知される人検出通知を受信し、電話回線網１００を介して通知される人検出通知を受信しない。一方、ＩＰ通知受信フラグがオフの場合には、インターネット２００を介して通知される人検出通知を受信せずに、電話回線網１００を介して通知される人検出通知を受信する。
【００４９】
本発明の第１の実施形態では、人検出通知（人体検出情報の一例）の通知内容や受信方法が、電話回線網１００を介して受信する場合と、インターネット２００を介して受信する場合とで異なっている。電話回線網１００を介して通知される人検出通知とは、クライアント側ＭＦＰ３１からの着呼（本実施形態では、一回のみの呼出信号）を受けることであり、クライアント側ＭＦＰ３１の電話番号がナンバーディスプレイ情報により通知されることである。一方、インターネット２００を介して通知される人検出通知とは、クライアント側ＭＦＰ３１のＩＰアドレスなどの情報がＩＰパケットにより通知されることである。
【００５０】
具体的には、電話回線網１００を介して人検出通知が通知される場合、クライアント側ＭＦＰ３１では、人感センサ４０により人が検出されると、サーバ側ＭＦＰ１へ電話を掛けて、電話交換機からのリングバックトーン（電話交換機からの呼出音）（呼出中信号の一例）を検出したら直ちに電話交換機との接続を切断する。サーバ側ＭＦＰ１では、クライアント側ＭＦＰ３１からの着呼（呼出信号）が１回のみ（ワンコール）であった場合に、クライアント側ＭＦＰ１からの人検出通知を受信したと判定している。なお、本実施形態では、着呼（呼出信号）が１回であった場合に、人検出通知を受信したと判定しているが、２回や３回など任意の回数に設定できるように構成しても良い。
【００５１】
一方、インターネット２００を介して人検出通知が通知される場合、クライアント側ＭＦＰ３１では、人感センサ４０により人が検出されると、クライアント情報メモリ３５ｂに記憶されている（自機の）名称と、（自機の）電話番号と、（自機の）ＩＰアドレスとを含む人検出通知用のＩＰパケットを生成し、サーバ側ＭＦＰ１へ通知する。サーバ側ＭＦＰ１では、クライアント側ＭＦＰ３１から送信されてくるＩＰパケットによる人検出通知を受信した場合に、クライアント側ＭＦＰ３１からの人検出通知を受信したと判定している。
【００５２】
原稿データ蓄積フラグメモリ１４ｅは、原稿データ蓄積フラグを記憶するためのメモリである。原稿データ蓄積フラグは、原稿データメモリ１４ｃに原稿データが記憶（蓄積）されている場合にオンに設定され、何も記憶されていない場合にオフに設定されるフラグである。つまり、外部装置３００から原稿データを受信した場合にオンに設定され、受信した原稿データを、クライアント側ＭＦＰ３１に転送した場合にオフに設定される。
【００５３】
通知待ちフラグメモリ１４ｆは、通知待ちフラグを記憶するためのメモリである。通知待ちフラグは、新たな人検出通知を受信するまで、原稿データの転送を保留するか否かを示すフラグである。通知待ちフラグがオンの場合は、新たな人検出通知を受信するまで、原稿データの転送を保留し、通知待ちフラグがオフの場合は、クライアント管理テーブル（図２（ａ）参照）において最終通知日時が最も新しいクライアント側ＭＦＰ３１へ、原稿データを転送する。転送履歴メモリ１４ｇは、原稿データの転送結果を記憶するためのメモリである。
【００５４】
操作キー１５は、サーバ側ＭＦＰ１を操作するための操作入力キーにより構成されており、クライアント管理キー１５ａや、通知受信方法選択キー１５ｂや、数字キーなどの各種キーが設けられている。
【００５５】
クライアント管理キー１５ａは、原稿データの転送先であるクライアント側ＭＦＰ３１についての情報（クライアント情報）を追加したり、削除するためのキーである。このクライアント管理キー１５ａを操作することにより、クライアント管理テーブルメモリ１４ａのクライアント管理テーブルに新たなクライアント情報を追加したり、クライアント管理テーブルから既存のクライアント情報を削除することができる（図３参照）。
【００５６】
通知受信方法選択キー１５ｂは、クライアント側ＭＦＰ３１から通知される人検出通知を、インターネット２００を介して受信するか、電話回線網１００を介して受信するかを選択するためのキーである。通知受信方法選択キー１５ｂが押下される度に、上述したＩＰ通知受信フラグが交互にオン、オフに設定される（図３参照）。
【００５７】
また、操作者は、操作キー１５の各種キーを押下することで、例えば、サーバ側ＭＦＰ１についての情報（サーバ情報）をサーバ情報メモリ１４ｂに登録（記憶）したり、電源のオン／オフや、各機能の切り替えなどの操作を行うことができる。
【００５８】
ＬＣＤ１６は、メニューや操作手順や実行中の処理の状態などを表示するための液晶ディスプレイであり、操作キー１５が操作されると、その操作に対応する情報が表示される。上述した通り、サーバ側ＭＦＰ１は、ナンバーディスプレイ機能を有しており、外部装置３００やクライアント側ＭＦＰ３１から電話回線網１００を介して着信があると、外部装置３００やクライアント側ＭＦＰ３１の電話番号がＬＣＤ１６に表示される。
【００５９】
ＬＡＮインターフェース１７は、ＬＡＮケーブルの一端側を、ＬＡＮインターフェース１７の接続口に接続し、他端側をハブやルータなどの中継装置（図示しない）に接続することにより、インターネット２００に接続されている各種装置とのデータ通信を可能とする既知の回路である。計時回路１８は、現在の日時を刻む時計機能を有する既知の回路である。
【００６０】
スキャナ２０は、所定の読取位置（非図示）にセットされた原稿から画像の読み取りを行うと共に、その画像をＬＣＤ１６に表示したりプリンタ２１で印刷可能な画像データを生成するものである。このスキャナ２０により読み取られた画像データは、ＲＡＭ１３における所定の記憶領域に記憶される。
【００６１】
プリンタ２１は、所定の給紙位置（非図示）にセットされた記録用紙に画像を印刷するインクジェット方式のプリンタで構成されている。プリンタ２１は、Ｃ（シアン）、Ｍ（マゼンダ）、Ｙ（イエロー）、Ｋ（ブラック）の４色のインクを使用する印刷ヘッド、紙送り装置、回復装置を備えカラー印刷を行うものである。
【００６２】
スピーカ２２は、入力された音信号を音に変換して発音するものである。このスピーカ２２からは、エラー発生時の注意音や、電話回線網１００を介した外部装置３００からの着呼（呼出信号）に応じた呼出音や、外部装置３００から送信されてくる音信号に基づく音声などが発音される。
【００６３】
モデム２３は、ファクシミリ機能によって送信する画像データを、電話回線網１００に伝送可能な信号に変調してＮＣＵ２４を介して送信したり、電話回線網１００からＮＣＵ２４を介して入力された信号を受信し、ＬＣＤ１６に表示したりプリンタ２１で記録用紙に記録できるように画像データへ復調するものである。ＮＣＵ２４は、電話回線網１００と接続されており、電話回線網１００へのダイヤル信号の送出や、電話回線網１００からの呼出信号の応答などの制御を行うものである。
【００６４】
次に、クライアント側ＭＦＰ３１について説明する。図１に示すように、クライアント側ＭＦＰ３１は、ＣＰＵ３２、ＲＯＭ３３、ＲＡＭ３４、フラッシュメモリ３５、操作キー３６、ＬＣＤ３７、ＬＡＮインターフェース３８、計時回路３９、人感センサ４０、スキャナ４１、プリンタ４２、スピーカ４３、モデム４４、および、ＮＣＵ４５を主に有している。
【００６５】
ＣＰＵ３２、ＲＯＭ３３、ＲＡＭ３４、および、フラッシュメモリ３５は、バスライン４６を介して互いに接続されている。また、操作キー３６、ＬＣＤ３７、ＬＡＮインターフェース３８、計時回路３９、人感センサ４０、スキャナ４１、プリンタ４２、スピーカ４３、モデム４４、ＮＣＵ４５、および、バスライン４６は、入出力ポート４７を介して互いに接続されている。また、モデム４４とＮＣＵ４５とは互いに接続されている。
【００６６】
クライアント側ＭＦＰ３１の電気的構成を示すブロック図において、サーバ側ＭＦＰ１のブロック図と異なる部分は、ＲＯＭ３３、フラッシュメモリ３５、操作キー３６、および、人感センサ４０であるため、これらの異なる部分についてのみ説明を行い、その他の同一部分については、その説明を省略する。
【００６７】
ＲＯＭ３３は、クライアント側ＭＦＰ３１で実行される制御プログラムなどを格納した書換不能なメモリである。図８のフローチャートに示す設定処理、図９のフローチャートに示す人検出通知処理を実行する各プログラムは、このＲＯＭ３３に格納されている。
【００６８】
フラッシュメモリ３５は書換可能な不揮発性のメモリであり、このフラッシュメモリ３５に記憶されたデータは、クライアント側ＭＦＰ３１の電源オフ後も保持される。フラッシュメモリ３５には、サーバ管理メモリ３５ａと、クライアント情報メモリ３５ｂと、ＩＰ通知フラグメモリ３５ｃと、最終通知日時メモリ３５ｄとが設けられている。
【００６９】
サーバ管理メモリ３５ａは、人感センサ４０により人が検出されたことを示す人検出通知の通知先であるサーバ側ＭＦＰ１についての情報（サーバ情報）を記憶するためのメモリである。クライアント情報メモリ３５ｂは、クライアント側ＭＦＰ３１についての情報（クライアント情報）を記憶するためのメモリである。
【００７０】
ここで、図２（ｃ）を参照して、サーバ管理メモリ３５ａについて説明し、続けて、図２（ｄ）を参照して、クライアント情報メモリ３５ｂについて説明する。図２（ｃ）は、サーバ管理メモリ３５ａに記憶されているサーバ情報の内容の一例を示す概略図である。
【００７１】
サーバ管理メモリ３５ａは、人感センサ４０により人が検出されたことを示す人検出通知の通知先であるサーバ側ＭＦＰ１についての情報（サーバ情報）を記憶するためのメモリである。例えば、サーバ側ＭＦＰ１のサーバ名「本社」と、そのＭＦＰ１の電話番号「０３−＊＊＊＊−９９９９」と、そのＭＦＰ１のＩＰアドレス「１９２．＊＊＊．１．９９」というサーバ情報が記憶される。
【００７２】
次に、図２（ｄ）を参照して、クライアント情報メモリ３５ｂについて説明する。図２（ｄ）は、クライアント情報メモリ３５ｂに記憶されているクライアント情報の内容の一例を示す概略図である。
【００７３】
クライアント情報メモリ３５ｂは、自機についての情報を記憶するためのメモリであり、クライアント情報として、クライアント側ＭＦＰ３１の名称（即ち、自機の名称）と、ＭＦＰ３１の電話番号（即ち、自機の電話番号）と、ＭＦＰ３１のＩＰアドレス（即ち、自機のＩＰアドレス）とが記憶されている。例えば、Ａ営業所に設置されているクライアント側ＭＦＰ３１であれば、図２（ｄ）に示すように、（自機の）名称「Ａ営業所」と、（自機の）電話番号「０３−＊＊＊＊−１１１１」と、（自機の）ＩＰアドレス「１９２．＊＊＊．１．１」というクライアント情報が記憶される。
【００７４】
ここで、図１の説明に戻る。ＩＰ通知フラグメモリ３５ｃは、ＩＰ通知フラグを記憶するためのメモリである。ＩＰ通知フラグは、人感センサ４０により人が検出された場合に、人を検出したことを示す人検出通知を、インターネット２００を介してサーバ側ＭＦＰ１へ送信するか、電話回線網１００を介してサーバ側ＭＦＰ１へ送信するかを示すフラグである。ＩＰ通知フラグがオンの場合には、インターネット２００を介して人検出通知をサーバ側ＭＦＰ１へ送信し、ＩＰ通知フラグがオフの場合には、電話回線網１００を介して人検出通知をサーバ側ＭＦＰ１へ送信する。最終通知日時メモリ３５ｄは、人検出通知を最後にサーバ側ＭＦＰ１へ送信した日時を記憶するためのメモリである。
【００７５】
操作キー３６は、クライアント側ＭＦＰ３１を操作するための操作入力キーにより構成されており、サーバ管理キー３６ａや、通知方法選択キー３６ｂや、数字キーなどの各種キーが設けられている。
【００７６】
サーバ管理キー３６ａは、人検出通知の通知先であるサーバ側ＭＦＰ１についての情報（サーバ情報）を設定するためのキーである（図８参照）。通知方法選択キー３６ｂは、サーバ側ＭＦＰ１へ通知する人検出通知を、インターネット２００を介して通知するか、電話回線網１００を介して通知するかを選択するためのキーである。通知方法選択キー３６ｂが押下される度に、上述したＩＰ通知フラグが交互にオン、オフに設定される（図８参照）。
【００７７】
また、操作者は、操作キー３６の各種キーを押下することで、例えば、クライアント側ＭＦＰ３１についての情報（クライアント情報）をクライアント情報メモリ３５ｂに登録（記憶）したり、電源のオン／オフや、各機能の切り替えなどの操作を行うことができる。人感センサ４０は、人体（移動物）などから発せられる赤外線を検出する既知のセンサ（例えば、焦電型赤外線センサ）で構成されている。
【００７８】
次に、図３を参照して、サーバ側ＭＦＰ１のＣＰＵ１１により実行される設定処理について説明する。図３は、サーバ側ＭＦＰ１の設定処理を示すフローチャートである。この設定処理は、原稿データの転送先であるクライアント側ＭＦＰ３１についての情報（クライアント情報）を追加や削除したり、ＩＰ通知受信フラグの状態を変更するなどの各種設定を行うための処理である。なお、設定処理は、サーバ側ＭＦＰ１の主電源が投入されてから主電源が遮断されるまで繰り返し実行される処理である。
【００７９】
設定処理では、まず、クライアント管理キー１５ａが押下されたかを判定する（Ｓ１）。クライアント管理キー１５ａが押下された場合は（Ｓ１：Ｙｅｓ）、操作者のキー操作に応じて、原稿データの転送先とするクライアント側ＭＦＰ３１についての情報（クライアント情報）の追加および削除の設定を行う（Ｓ２）。
【００８０】
具体的には、図２（ａ）に示すように、クライアント側ＭＦＰ３１のクライアント名と、ＭＦＰ３１の電話番号と、ＭＦＰ３１のＩＰアドレスとが操作者により設定される。そして、設定された結果をクライアント管理テーブルに反映して、クライアント管理テーブルメモリ１４ａに記憶する（Ｓ３）。
【００８１】
Ｓ１の処理において、クライアント管理キー１５ａが押下されていない場合は（Ｓ１：Ｎｏ）、Ｓ２〜Ｓ３の処理をスキップして、Ｓ４の処理に移行する。次に、通知受信方法選択キー１５ｂが押下されたかを判定し（Ｓ４）、通知受信方法選択キー１５ｂが押下された場合は（Ｓ４：Ｙｅｓ）、ＩＰ通知受信フラグメモリ１４ｄに記憶されているＩＰ通知受信フラグの状態を入れ替える。具体的には、ＩＰ通知受信フラグがオンであればオフに設定し、ＩＰ通知受信フラグがオフであればオンに設定する。
【００８２】
Ｓ４の処理において、通知受信方法選択キー１５ｂが押下されていない場合は（Ｓ４：Ｎｏ）、Ｓ５の処理をスキップして、Ｓ１の処理に戻り、上述したＳ１〜Ｓ５の各処理を繰り返す。
【００８３】
次に、図４を参照して、サーバ側ＭＦＰ１のＣＰＵ１１により実行されるメイン処理について説明する。図４は、サーバ側ＭＦＰ１のメイン処理を示すフローチャートである。このメイン処理は、外部装置３００から送信されてくる原稿データを受信し、その受信した原稿データを、直近に人検出通知を通知してきたクライアント側ＭＦＰ３１へ転送するための処理である。なお、メイン処理は、サーバ側ＭＦＰ１の主電源が投入されてから主電源が遮断されるまで繰り返し実行される処理である。
【００８４】
メイン処理では、まず、ＩＰ通知受信フラグメモリ１４ｄに記憶されているＩＰ通知受信フラグがオンであるかを判定する（Ｓ１１）。ＩＰ通知受信フラグがオンである場合は（Ｓ１１：Ｙｅｓ）、インターネット２００を介して送信されてくる人検出通知、即ち、ＩＰパケットによる人検出通知を受信したかを判定する（Ｓ１２）。一方、ＩＰ通知受信フラグがオフである場合は（Ｓ１１：Ｎｏ）、Ｓ１２〜Ｓ１３の処理をスキップして、Ｓ１４の処理へ移行する。
【００８５】
Ｓ１２の処理において、ＩＰパケットによる人検出通知を受信した場合は（Ｓ１２：Ｙｅｓ）、クライアント管理テーブル更新処理を実行する（Ｓ１３）。一方、Ｓ１２の処理においてＩＰパケットによる人検出通知を受信していない場合（Ｓ１２：Ｎｏ）は、Ｓ１３の処理をスキップして、Ｓ１４の処理へ移行する。詳細については後述するが、クライアント管理テーブル更新処理（Ｓ１３）は、ＩＰパケットによる人検出通知を受信した場合に、クライアント管理テーブルにおいて、人検出通知を通知してきたクライアント側ＭＦＰ３１に対応する最終通知日時を更新するための処理である。
【００８６】
次に、電話回線網１００からの着信を検出したかを判定し（Ｓ１４）、着信を検出した場合は（Ｓ１４：Ｙｅｓ）、着信処理を実行する（Ｓ１５）。一方、着信を検出していない場合は（Ｓ１４：Ｎｏ）、Ｓ１５の処理をスキップして、Ｓ１６の処理へ移行する。詳細については後述するが、着信処理（Ｓ１５）は、外部装置３００から送信されてくる原稿データを受信して、受信した原稿データを原稿データメモリ１４ｃに記憶（蓄積）すると共に、電話回線網１００を介して人検出通知を受信した場合に、クライアント管理テーブルにおいて、人検出通知を通知してきたクライアント側ＭＦＰ３１に対応する最終通知日時を更新するための処理である。
【００８７】
次に、原稿データ蓄積フラグメモリ１４ｅに記憶されている原稿データ蓄積フラグがオンであるかを判定する（Ｓ１６）。原稿データ蓄積フラグがオンである場合は（Ｓ１６：Ｙｅｓ）、転送するべき原稿データが原稿データメモリ１４ｃに記憶されている状態であるので、さらに、通知待ちフラグメモリ１４ｆに記憶されている通知待ちフラグがオンであるかを判定する（Ｓ１７）。
【００８８】
Ｓ１７の処理において、通知待ちフラグがオンである場合は（Ｓ１７：Ｙｅｓ）、クライアント管理テーブルにおいて、全ての最終通知日時が、現在日時から１時間以上経過している場合であるため、クライアント側ＭＦＰ３１の周辺に人がいる可能性が低い。よって、どのクライアント側ＭＦＰ３１へ原稿データを転送したとしても、原稿が放置される可能性が高いので、原稿データを転送する原稿データ転送処理（Ｓ１８）をスキップして、Ｓ１１の処理に戻り、上述したＳ１１〜Ｓ１７の各処理を繰り返す。
【００８９】
一方、Ｓ１７の処理において、通知待ちフラグがオフである場合は（Ｓ１７：Ｎｏ）、原稿データ転送処理を実行し（Ｓ１８）、Ｓ１１の処理に戻り、上述したＳ１１〜Ｓ１８の各処理を繰り返す。詳細については後述するが、原稿データ転送処理（Ｓ１８）は、クライアント管理テーブルにおいて、最終通知日時が最も新しく、且つ、その最終通知日時が現在日時から１時間未満であるクライアント側ＭＦＰ３１へ、原稿データを転送するための処理である。
【００９０】
次に、図５を参照して、サーバ側ＭＦＰ１のＣＰＵ１１により実行されるクライアント管理テーブル更新処理（Ｓ１３）について説明する。図５は、サーバ側ＭＦＰ１のクライアント管理テーブル更新処理（Ｓ１３）を示すフローチャートである。このクライアント管理テーブル更新処理（Ｓ１３）は、ＩＰパケットによる人検出通知を受信した場合に、クライアント管理テーブルにおいて、人検出通知を通知してきたクライアント側ＭＦＰ３１に対応する最終通知日時を更新するための処理である。なお、インターネット２００を介して通知される人検出通知とは、上述した通り、クライアント側ＭＦＰ３１のＩＰアドレスなどの情報がＩＰパケットにより通知されることである。
【００９１】
クライアント管理テーブル更新処理では、まず、受信したＩＰパケットによる人検出通知に含まれているＩＰアドレスを取得する（Ｓ２１）。次に、取得したＩＰアドレスは、クライアント管理テーブルメモリ１４ａのクライアント管理テーブルに記憶されているＩＰアドレスであるかを判定し（Ｓ２２）、取得したＩＰアドレスが、クライアント管理テーブルに記憶されているＩＰアドレスである場合は（Ｓ２２：Ｙｅｓ）、計時回路１８から現在の日時を取得する（Ｓ２３）。
【００９２】
次に、クライアント管理テーブルにおいて、取得したＩＰアドレスに対応するクライアント名の最終通知日時を、現在の日時に更新する（Ｓ２４）。そして、通知待ちフラグメモリ１４ｆに記憶されている通知待ちフラグをオフに設定して（Ｓ２５）、このクライアント管理テーブル更新処理を終了する。
【００９３】
Ｓ２２の処理において、取得したＩＰアドレスが、クライアント管理テーブルに記憶されているＩＰアドレスで無い場合は（Ｓ２２：Ｎｏ）、転送先でないクライアント側ＭＦＰ３１から人検出通知が通知された場合であるので、何もせずに（即ち、Ｓ２３〜Ｓ２５をスキップして）、このクライアント管理テーブル更新処理を終了する。
【００９４】
なお、Ｓ２１およびＳ２２の処理では、クライアント側ＭＦＰ３１を特定するために、人検出通知に含まれているクライアント側ＭＦＰ３１のＩＰアドレスを確認しているが、クライアント側ＭＦＰ３１を特定できる情報（識別情報）であれば、ＩＰアドレス以外の情報を確認しても良い。例えば、クライアント側ＭＦＰ３１の名称（クライアント名）や、ＭＦＰ３１の電話番号を人検出通知の中に含めるように構成しておき（図９のＳ８６参照）、その名称や電話番号で、クライアント側ＭＦＰ３１を特定するように構成しても良い。また、人検出通知の中に含める情報としては、例えば、クライアント側ＭＦＰ３１ごとに固有に定められているＩＤや、インターネット２００上の呼称（ドメイン名）などでも良い。また、人検出通知には、クライアント側ＭＦＰ３１を特定できる情報が少なくとも１つ含まれていれば良い。
【００９５】
以上の図５のフローチャートのクライアント管理テーブル更新処理により、インターネット２００を介して、クライアント側ＭＦＰ３１から送信される人検出通知を受信して、クライアント管理テーブルを更新することができる。
【００９６】
また、電話回線網１００介して人検出通知を受信する場合、サーバ側ＭＦＰ１は、一のクライアント側ＭＦＰ３１から電話回線網１００を介して呼び出されるので、外部装置３００や、他のクライアント側ＭＦＰ３１は、サーバ側ＭＦＰ１と電話回線網１００を介して接続できなくなる。しかし、インターネット２００を介して人検出通知を受信する場合は、電話回線網１００を使用しないので、外部装置３００がサーバ側ＭＦＰ１と接続できず、原稿データを送信できなかったり、サーバ側ＭＦＰ１がクライアント側ＭＦＰ３１と接続できず、原稿データを転送できなくなることを抑制することができる。
【００９７】
また、インターネット２００を介して通知する人検出通知では、ＩＰパケットを使用するので、一の人検出通知の中に、クライアント側ＭＦＰ３１についての情報を複数（ＩＰアドレス、名称、電話番号など）含めることができる。よって、クライアント側ＭＦＰ３１についての情報を一度に複数受信することができるので、通知してきたクライアント側ＭＦＰ３１を簡単に識別することができる。
【００９８】
次に、図６を参照して、サーバ側ＭＦＰ１のＣＰＵ１１により実行される着信処理（Ｓ１５）について説明する。図６は、サーバ側ＭＦＰ１の着信処理（Ｓ１５）を示すフローチャートである。この着信処理（Ｓ１５）は、外部装置３００から送信されてくる原稿データを受信して、受信した原稿データを原稿データメモリ１４ｃに記憶（蓄積）すると共に、電話回線網１００を介して人検出通知を受信した場合に、クライアント管理テーブルにおいて、人検出通知を通知してきたクライアント側ＭＦＰ３１に対応する最終通知日時を更新するための処理である。
【００９９】
着信処理では、まず、着呼（電話交換機からの呼出信号）に応じた鳴動（スピーカ２２からの発音）を禁止し（Ｓ３１）、ナンバーディスプレイ情報通知により電話番号が通知されたかを判定する（Ｓ３２）。ナンバーディスプレイ情報通知により電話番号が通知された場合は（Ｓ３２：Ｙｅｓ）、着呼（電話交換機からの呼出信号）が１回であったかを判定する（Ｓ３３）。なお、本実施形態では、着呼（呼出信号）が１回であった場合に、人検出通知を受信したと判定しているが、２回や３回など任意の回数に設定できるように構成しても良い。
【０１００】
上述した通り、電話回線網１００を介して通知される人検出通知とは、クライアント側ＭＦＰ３１の電話番号がナンバーディスプレイ情報により通知されることである。より具体的には、クライアント側ＭＦＰ３１では、人感センサ４０により人が検出されると、サーバ側ＭＦＰ１へ電話を掛けて、電話交換機からのリングバックトーン（電話交換機からの呼出音）を検出したら直ちに電話交換機との接続を切断する。サーバ側ＭＦＰ１では、クライアント側ＭＦＰ３１からの着呼（呼出信号）が１回のみ（ワンコール）であった場合に、クライアント側ＭＦＰ１からの人検出通知を受信したと判定している。
【０１０１】
Ｓ３２の処理においてナンバーディスプレイ情報通知により電話番号が通知されなかった場合（Ｓ３２：Ｎｏ）、または、Ｓ３３の処理において着呼（電話交換機からの呼出信号）が２回以上あった場合は（Ｓ３３：Ｎｏ）、電話回線網１００を介して通知される人検出通知ではないので、着呼（電話交換機からの呼出信号）に応じた鳴動（スピーカ２２からの発音）を開始し（Ｓ３４）、電話回線網１００を介して、外部装置３００との接続を行う（Ｓ３５）。
【０１０２】
次に、外部装置３００から送信されてくる原稿データを受信して、受信した原稿データを原稿データメモリ１４ｃに記憶し（Ｓ３６）、外部装置３００との接続を終了する（Ｓ３７）。そして、原稿データ蓄積フラグメモリ１４ｅに記憶されている原稿データ蓄積フラグをオンに設定して（Ｓ３８）、この着信処理を終了する。
【０１０３】
Ｓ３３の処理において、着呼（電話交換機からの呼出信号）が１回（所定回数の一例）以下であった場合は（Ｓ３３：Ｙｅｓ）、ＩＰ通知受信フラグメモリ１４ｄに記憶されているＩＰ通知受信フラグがオフであるかを判定する（Ｓ３９）。ＩＰ通知受信フラグがオフである場合は（Ｓ３９：Ｙｅｓ）、今回の着呼が、クライアント側ＭＦＰ３１からの人検出通知であるかを確認するために、ナンバーディスプレイ情報通知により通知された電話番号が、クライアント管理テーブルメモリ１４ａのクライアント管理テーブルに記憶されている電話番号であるかを判定する（Ｓ４０）。
【０１０４】
Ｓ３９の処理において、ＩＰ通知受信通知フラグがオンである場合は（Ｓ３９：Ｎｏ）、電話回線網１００を介して人検出通知を受信しない設定であるので、Ｓ４０〜Ｓ４３の処理をスキップして、この着信処理を終了する。Ｓ４０の処理において、ナンバーディスプレイ情報通知により通知された電話番号が、クライアント管理テーブルに記憶されている電話番号でない場合は（Ｓ４０：Ｎｏ）、今回の着呼は、転送先のクライアントからの人検出通知ではないため、Ｓ４１〜Ｓ４３の処理をスキップして、この着信処理を終了する。
【０１０５】
Ｓ４０の処理において、ナンバーディスプレイ情報通知により通知された電話番号が、クライアント管理テーブルに記憶されている電話番号である場合は（Ｓ４０：Ｙｅｓ）、計時回路１８から現在の日時を取得する（Ｓ４１）。次に、クライアント管理テーブルメモリ１４ａのクライアント管理テーブルにおいて、ナンバーディスプレイ情報通知により通知された電話番号に対応するクライアント名の最終通知日時を、現在の日時に更新する（Ｓ４２）。そして、通知待ちフラグメモリ１４ｆに記憶されている通知待ちフラグをオフに設定して（Ｓ４３）、この着信処理を終了する。
【０１０６】
以上の図６のフローチャートの着信処理により、クライアント側ＭＦＰ３１からの着呼（呼出信号）が１回のみ（ワンコール）であった場合に、クライアント側ＭＦＰ１からの人検出通知を受信したと判定することができる。また、電話回線網１００を介するクライアント側ＭＦＰ３１との接続を確立せずに、クライアント管理テーブルを更新することができると共に、通信費も抑制することができる。一般的に、電話回線網１００では、サーバ側ＭＦＰ１と、クライアント側ＭＦＰ３１との接続が確立した場合に通信料金が課金されるが、この着信処理では、接続を確立せずに、人検出通知を受信したと判定しているので、通信料金を発生させることなく、人検出通知を受信することができる。よって、電話回線網１００を介して人検出通知を通知する場合に、通信費を抑制することができる。
【０１０７】
また、電話回線網１００を介して人検出通知が通知される場合、即ち、電話交換機からの着呼（呼出信号）が１回以下である場合は、着呼に応じた鳴動を行わないので、サーバ側ＭＦＰ１周辺にいる操作者によって、クライアント側ＭＦＰ３１との接続を確立される動作（例えば、受話器を取るなど）が行われることを抑制することができる。よって、電話回線網１００を介して人検出通知が通知された場合に、通信料金が課金されることを確実に防止することができる。
【０１０８】
また、電話回線網１００を介して人検出通知が通知される場合には、着呼に応じた鳴動を行わないので、電話回線網１００を介して人検出通知が通知される度に、着呼に応じた鳴動が行われる場合と比較して、サーバ側ＭＦＰ１周辺にいる人が着呼に応じた鳴動を不快に感じることを抑制することができる。なお、着呼に応じた鳴動がある場合とは、一般的に、電話が掛かってきたか、原稿データが送信されてきた場合であるので、サーバ側ＭＦＰ１周辺にいる人は、その対応をとることになる。しかし、電話回線網１００を介して通知される人検出通知は、サーバ側ＭＦＰ１周辺にいる人の対応が不要であるので、着呼に応じた鳴動を行わないことにより、サーバ側ＭＦＰ１周辺にいる人が、不要な対応をとることを抑制することができる。
【０１０９】
次に、図７を参照して、サーバ側ＭＦＰ１のＣＰＵ１１により実行される原稿データ転送処理（Ｓ１８）について説明する。図７は、サーバ側ＭＦＰ１の原稿データ転送処理（Ｓ１８）を示すフローチャートである。この原稿データ転送処理（Ｓ１８）は、クライアント管理テーブルにおいて、最終通知日時が最も新しく、且つ、その最終通知日時が現在日時から１時間未満であるクライアント側ＭＦＰ３１へ、原稿データを転送するための処理である。
【０１１０】
原稿データ転送処理では、まず、クライアント管理テーブルメモリ１４ａのクライアント管理テーブルにおいて、最も新しい最終通知日時を取得し（Ｓ５１）、取得した最終通知日時が、現在日時から１時間未満の日時であるかを判定する（Ｓ５２）。
【０１１１】
取得した最終通知日時が、現在日時から１時間（第１の所定時間の一例）以上経過した日時である場合は（Ｓ５２：Ｎｏ）、全ての最終通知日時が、現在日時から１時間以上経過している場合であり、何れかのクライアント側ＭＦＰ３１へ原稿データを転送したとしても、クライアント側ＭＦＰ３１周辺に人がいない可能性が高く、原稿が放置される可能性が高い。そこで、通知待ちフラグメモリ１４ｆに記憶されている通知待ちフラグをオンに設定して（Ｓ５６）、新たな人検出通知が通知されてくるまで、原稿データの転送を保留する設定とし、この原稿データ転送処理を終了する。
【０１１２】
Ｓ５２の処理において、取得した最終通知日時が、現在日時から１時間未満の日時である場合は（Ｓ５２：Ｙｅｓ）、クライアント管理テーブルメモリ１４ａのクライアント管理テーブルにおいて、取得した最終通知日時に対応するクライアント名の電話番号を取得する（Ｓ５３）。
【０１１３】
次に、取得した電話番号へ発信し（Ｓ５４）、原稿データメモリ１４ｃに記憶されている原稿データをクライアント側ＭＦＰ３１へ送信する（Ｓ５５）。なお、原稿データメモリ１４ｃに、複数件分の原稿データが記憶されている場合は、その複数件分原稿データを全てクライアント側ＭＦＰ３１へ送信する。このＳ５５の処理により送信された原稿データが、クライアント側ＭＦＰ３１により受信されると、その原稿データが、クライアント側ＭＦＰ３１のプリンタ４２により印刷される。
【０１１４】
そして、原稿データの送信が正常に終了したかを判定し（Ｓ５７）、原稿データの送信が正常に終了しなかった場合は（Ｓ５７：Ｎｏ）、この原稿データ転送処理を終了する。つまり、取得した電話番号へ発信しても相手先が話し中の場合や、原稿データの送信中にエラーが発生した場合には、原稿データの転送がここで一旦中断される。しかし、転送が中断されても、原稿データ蓄積フラグはオンの状態が維持されるので、メイン処理のループにおいて、再度、原稿データ転送処理が実行され、原稿データがクライアント側ＭＦＰ３１へ転送される。
【０１１５】
Ｓ５７の処理において、原稿データの送信が正常に終了した場合は（Ｓ５７：Ｙｅｓ）、送信が正常に終了した原稿データを、原稿データメモリ１４ｃから削除し（Ｓ５８）、原稿データの転送結果を、転送履歴メモリ１４ｇに記憶すると共に、プリンタ２１により印刷する（Ｓ５９）。この原稿データの転送結果は、例えば、外部装置３００から受信する原稿の案件ごとに記憶する。具体的には、原稿データの送信元の電話番号（又は、社名などの名称）と、その原稿データの受信日時と、原稿を転送したクライアント側ＭＦＰ３１の電話番号（又は、名称）と、その原稿の転送日時とを記憶する。なお、操作キー１５の操作により、原稿データの転送結果が、ＬＣＤ１６に表示されるように構成しても良い。そして、原稿データ蓄積フラグメモリ１４ｅに記憶されている原稿データ蓄積フラグをオフに設定して（Ｓ６０）、この原稿データ転送処理を終了する。
【０１１６】
以上の図７のフローチャートの原稿データ転送処理により、クライアント管理テーブルにおいて、最も新しい最終通知日時が現在日時から１時間以上経過している場合には、新たな人検出通知が通知されてくるまで、原稿データの転送を保留（禁止）できるので、転送した原稿データが、クライアント側ＭＦＰ３１において出力され、その原稿が長時間（例えば、１〜２日など）放置される可能性を低くできる。
【０１１７】
また、原稿データの転送結果が、プリンタ２１により印刷されるので、操作者は、原稿データの転送結果を確認することにより、原稿データが転送されたクライアント側ＭＦＰ３１を確認することができる。
【０１１８】
次に、図８を参照して、クライアント側ＭＦＰ３１のＣＰＵ３２により実行される設定処理について説明する。図８は、クライアント側ＭＦＰ３１の設定処理を示すフローチャートである。この設定処理は、人検出通知の通知先であるサーバ側ＭＦＰ１についての情報（サーバ情報）を設定したり、ＩＰ通知フラグの状態を変更するなどの各種設定を行うための処理である。なお、設定処理は、クライアント側ＭＦＰ３１の主電源が投入されてから主電源が遮断されるまで繰り返し実行される処理である。
【０１１９】
設定処理では、まず、サーバ管理キー３６ａが押下されたかを判定する（Ｓ７１）。サーバ管理キー３６ａが押下された場合は（Ｓ７１：Ｙｅｓ）、操作者のキー操作に応じて、人検出通知の通知先であるサーバ側ＭＦＰ１についての情報（サーバ情報）の設定を行う（Ｓ７２）。具体的には、図２（ｃ）に示すように、サーバ側ＭＦＰ１のサーバ名と、ＭＦＰ１の電話番号と、ＭＦＰ１のＩＰアドレスとが操作者により設定される。そして、設定された結果を、サーバ管理メモリ３５ａに記憶する（Ｓ７３）。
【０１２０】
Ｓ７１の処理において、サーバ管理キー３６ａが押下されていない場合は（Ｓ７１：Ｎｏ）、Ｓ７２〜Ｓ７３の処理をスキップして、Ｓ７４の処理に移行する。次に、通知方法選択キー３６ｂが押下されたかを判定し（Ｓ７４）、通知方法選択キー３６ｂが押下された場合は（Ｓ７４：Ｙｅｓ）、ＩＰ通知フラグメモリ３５ｃに記憶されているＩＰ通知フラグの状態を入れ替える。具体的には、ＩＰ通知フラグがオンであればオフに設定し、ＩＰ通知フラグがオフであればオンに設定する。
【０１２１】
Ｓ７４の処理において、通知方法選択キー３６ｂが押下されていない場合は（Ｓ７４：Ｎｏ）、Ｓ７５の処理をスキップして、Ｓ７１の処理に戻り、上述したＳ７１〜Ｓ７５の各処理を繰り返す。
【０１２２】
次に、図９を参照して、クライアント側ＭＦＰ３１のＣＰＵ３２により実行される人検出通知処理について説明する。図９は、クライアント側ＭＦＰ３１の人検出通知処理を示すフローチャートである。この人検出通知処理は、人感センサ４０により人が検出された場合に、インターネット２００を介して、または、電話回線網１００を介して、人検出通知をサーバ側ＭＦＰ１へ通知するための処理である。なお、人検出通知処理は、クライアント側ＭＦＰ３１の主電源が投入されてから主電源が遮断されるまで繰り返し実行される処理である。
【０１２３】
人検出通知処理では、まず、人感センサ４０により人が検出されたかを判定し（Ｓ８１）、人感センサ４０により人が検出されていない場合は（Ｓ８１：Ｎｏ）、人感センサ４０により人が検出されるまで待機する。一方、人感センサ４０により人が検出された場合は（Ｓ８１：Ｙｅｓ）、サーバ管理メモリ３５ａにサーバ側ＭＦＰ１についての情報（サーバ情報）が記憶されているかを判定する（Ｓ８２）。サーバ情報とは、図２（ｃ）に示すように、サーバ側ＭＦＰ１のサーバ名と、ＭＦＰ１の電話番号と、ＭＦＰ１のＩＰアドレスという情報である。
【０１２４】
Ｓ８２の処理において、サーバ管理メモリ３５ａにサーバ情報が記憶されていない場合は（Ｓ８２：Ｎｏ）、人検出通知の通知先が設定されていないので、人検出通知を通知できないため、Ｓ８１の処理に戻り、Ｓ８１〜Ｓ８２の各処理を繰り返す。一方、Ｓ８２の処理において、サーバ管理メモリ３５ａにサーバ情報が記憶されている場合は（Ｓ８２：Ｙｅｓ）、計時回路１８から現在の日時を取得する（Ｓ８３）。
【０１２５】
次に、ＩＰ通知フラグメモリ３５ｃに記憶されているＩＰ通知フラグがオンであるかを判定する（Ｓ８４）。ＩＰ通知フラグがオンである場合は（Ｓ８４：Ｙｅｓ）、人検出通知をインターネット２００を介してサーバ側ＭＦＰ１へ通知することになる。まず、最終通知日時メモリ３５ｄに記憶されている日時が、現在の日時から１分（第２の所定時間の一例）以上経過しているかを判定し（Ｓ８５）、経過時間が１分未満である場合は（Ｓ８５：Ｎｏ）、短期間に通知を繰り返すことになるので、通知を差し控えて、インターネット２００や、サーバ側ＭＦＰ１や、クライアント側ＭＦＰ３１に負荷が掛かることを抑制する。即ち、Ｓ８１の処理に戻り、上述したＳ８１〜Ｓ８５の各処理を繰り返す。なお、本実施形態では、現在の日時から１分以上経過しているかを判定しているが、任意な時間を操作者が設定できるように構成しても良い。例えば、３０秒や、３０分や、１時間や、設定時間無しなどに設定しても良い。
【０１２６】
Ｓ８５の処理において、最終通知日時メモリ３５ｄに記憶されている日時が、現在の日時から１分以上経過している場合は（Ｓ８５：Ｙｅｓ）、クライアント情報メモリ３５ｂに記憶されている（自機の）名称（即ち、クライアント名）と、（自機の）電話番号と、（自機の）ＩＰアドレスとを含む人検出通知用のＩＰパケットを生成する（Ｓ８６）。例えば、Ａ営業所に設置されているクライアント側ＭＦＰ３１であれば、図２（ｄ）に示す名称「Ａ営業所」と、電話番号「０３−＊＊＊＊−１１１１」と、ＩＰアドレス「１９２．＊＊＊．１．１」とを含む人検出通知用のＩＰパケットを生成する。
【０１２７】
そして、生成した人検出通知用のＩＰパケットを、サーバ管理メモリ３５ａに記憶されているサーバ側ＭＦＰ１のＩＰアドレスへ送信して（Ｓ８７）、最終通知日時メモリ３５ｄに現在の日時を記憶し（Ｓ８８）、Ｓ８１の処理に戻り、上述したＳ８１〜Ｓ８８の各処理を繰り返す。
【０１２８】
Ｓ８４の処理において、ＩＰ通知フラグメモリ３５ｃに記憶されているＩＰ通知フラグがオフである場合は（Ｓ８４：Ｎｏ）、人検出通知を電話回線網１００を介してサーバ側ＭＰ１へ通知することになる。まず、最終通知日時メモリ３５ｄに記憶されている日時が、現在の日時から２０分（第２の所定時間の一例）以上経過しているかを判定し（Ｓ８９）、経過時間が２０分未満である場合は（Ｓ８９：Ｎｏ）、短期間に通知を繰り返すことになるので、通知を差し控えて、電話回線網１００や、サーバ側ＭＦＰ１や、クライアント側ＭＦＰ３１に負荷が掛かることを抑制する。即ち、Ｓ９０〜Ｓ８８の各処理をスキップして、Ｓ８１の処理に戻り、上述したＳ８１〜Ｓ８９の各処理を繰り返す。なお、本実施形態では、現在の日時から２０分以上経過しているかを判定しているが、任意な時間を操作者が設定できるように構成しても良い。例えば、１分や、３０分や、１時間や、設定時間無しなどに設定しても良い。
【０１２９】
Ｓ８９の処理において、最終通知日時メモリ３５ｄに記憶されている日時が、現在の日時から２０分以上経過している場合は（Ｓ８９：Ｙｅｓ）、サーバ管理メモリ３５ａに記憶されているサーバ側ＭＦＰ１の電話番号へ発信する（Ｓ９０）。なお、サーバ側ＭＦＰ１の電話番号へ発信する場合に、電話交換機に送信される発信信号（オフフック）や、ダイヤル信号が、要求信号の一例に該当する。そして、電話交換機からのリングバックトーン（電話交換機からの呼出音）が検出されたかを判定し（Ｓ９１）、電話交換機からのリングバックトーン（電話交換機からの呼出音）が検出された場合は（Ｓ９１：Ｙｅｓ）、直ちに発信を中断して（Ｓ９２）、最終通知日時メモリ３５ｄに現在の日時を記憶し（Ｓ８８）、Ｓ８１の処理に戻り、上述したＳ８１〜Ｓ９２の各処理を繰り返す。
【０１３０】
なお、上述した通り、電話回線網１００を介して通知する人検出通知とは、クライアント側ＭＦＰ３１の電話番号をナンバーディスプレイ情報により通知することである。クライアント側ＭＦＰ３１では、人感センサ４０により人が検出されると、サーバ側ＭＦＰ１へ電話を掛けて、電話交換機からのリングバックトーン（電話交換機からの呼出音）（呼出中信号の一例）を検出したら直ちに電話交換機との接続を切断して、サーバ側ＭＦＰ１へ人検出通知を通知している。なお、通常、リングバックトーンは、接続が確立されるまで、一定間隔で繰り返し検出される。ここでは、リングバックトーンを１回（所定回数の一例）検出したら、電話交換機との接続を切断する。なお、サーバ側ＭＦＰ１では、クライアント側ＭＦＰ３１からの着呼（呼出信号）が１回のみ（ワンコール）であった場合に、クライアント側ＭＦＰ１からの人検出通知を受信したと判定している。なお、本実施形態では、リングバックトーンを１回（所定回数の一例）検出したら、電話交換機との接続を切断しているが、電話交換機との接続を切断するまでのリングバックトーンの検出回数を任意の回数（例えば、２回や３回）に設定できるように構成しても良い。
【０１３１】
Ｓ９１の処理において、電話交換機からのリングバックトーン（電話交換機からの呼出音）が検出されなかった場合（Ｓ９１：Ｎｏ）、例えば、ビジートーン（話中音）やダイアルトーン（発信音）などが検出された場合は、一定時間（例えば、１分）待機して（Ｓ９３）、Ｓ９０の処理に戻り、上述したＳ９０〜Ｓ９３の各処理を繰り返す。
【０１３２】
以上の図９のフローチャートの人検出通知処理により、サーバ側ＭＦＰ１へ人検出通知を通知する場合に、サーバ側ＭＦＰ１へ電話を掛けて、電話交換機からのリングバックトーン（電話交換機からの呼出音）を検出したら直ちに電話交換機との接続を切断することで、サーバ側ＭＦＰ１へ人検出通知を通知することができる。
【０１３３】
以上、上述した通り、本発明の第１の実施形態における通信システムでは、各クライアント側ＭＦＰ３１において、人感センサ４０により人が検出された場合に、人が検出されたことを示す人検出通知がサーバ側ＭＦＰ１へ通知される。そして、サーバ側ＭＦＰ１では、外部装置３００から送信されてくる原稿データを受信した場合に、その原稿データを、直近に人検出通知を通知してきたクライアント側ＭＦＰ３１へ転送する。
【０１３４】
次に、本発明の第２の実施形態について説明する。第１の実施形態における通信システムは、サーバ側ＭＦＰ１が、外部装置３００から送信されてくる原稿データを受信した場合に、その原稿データを、直近に人検出通知を通知してきたクライアント側ＭＦＰ３１へ転送するという形態であった。それに対して、第２の実施形態における通信システムは、第１実施形態と同様に、一のサーバ側ＭＦＰ５１と、複数のクライアント側装置７１とにより構成されたファクシミリ転送システムであるが、各クライアント側ＭＦＰ７１には、人を検出する人感センサ４０の代わりに、ＩＣカード（例えば、社員証など）に記録されている各個人を特定可能な識別情報（例えば、ユーザ名（氏名）や、社員番号など）を読み取り可能なＲＦＩＤリーダ８０が設けられている。
【０１３５】
そして、クライアント側ＭＦＰ７１では、ＲＦＩＤリーダ８０によりＩＣカードが読み取られる度に、そのＩＣカードの所有者（ユーザ）のログイン状態（ログイン中、ログアウトを交互に切り替える）を更新すると共に、そのユーザのログイン状態をサーバ側ＭＦＰ５１へ通知し、サーバ側ＭＦＰ５１では、外部装置３００から送信されてくる原稿データを受信し、その受信した原稿データが特定の外部装置３００から送信されたものであれば、特定の外部装置３００に対応するユーザがログインしているクライアント側ＭＦＰ７１へ、受信した原稿データを転送するという形態である。
【０１３６】
次に、第２の実施形態におけるサーバ側ＭＦＰ５１の電気的構成について説明する。図示しないが、サーバ側ＭＦＰ５１は、ＣＰＵ５２、ＲＯＭ５３、ＲＡＭ５４、フラッシュメモリ５５、操作キー５６、ＬＣＤ５７、ＬＡＮインターフェース５８、計時回路５９、スキャナ６１、プリンタ６２、スピーカ６３、モデム６４、および、ＮＣＵ６５を主に有している。
【０１３７】
ＣＰＵ５２、ＲＯＭ５３、ＲＡＭ５４、および、フラッシュメモリ５５は、バスライン６６を介して互いに接続されている。また、操作キー５６、ＬＣＤ５７、ＬＡＮインターフェース５８、計時回路５９、スキャナ６１、プリンタ６２、スピーカ６３、モデム６４、ＮＣＵ６５、および、バスライン６６は、入出力ポート６７を介して互いに接続されている。また、モデム６４とＮＣＵ６５とは互いに接続されている。
【０１３８】
サーバ側ＭＦＰ５１の電気的構成において、本発明の第１の実施形態であるサーバ側ＭＦＰ１のブロック図（図１参照）と異なる部分は、ＲＯＭ５３（図示しない）、フラッシュメモリ５５、および、操作キー５６のみであるため、ＲＯＭ５３（図示しない）、フラッシュメモリ５５、および、操作キー５６についてのみ説明し、その他の同一部分については、その説明を省略する。
【０１３９】
ＲＯＭ５３（図示しない）は、サーバ側ＭＦＰ５１で実行される制御プログラムなどを格納した書換不能なメモリである。図１２のフローチャートに示す設定処理、図１３のフローチャートに示すメイン処理、図１４のフローチャートに示すユーザ管理テーブル更新処理、図１５のフローチャートに示す着信処理、図１６のフローチャートに示す原稿データ転送処理を実行する各プログラムは、このＲＯＭ５３に格納されている。
【０１４０】
次に、図１０（ａ）を参照して、フラッシュメモリ５５の電気的構成について説明する。図１０（ａ）は、サーバ側ＭＦＰ５１のフラッシュメモリ５５の電気的構成を示すブロック図である。
【０１４１】
フラッシュメモリ５５は書換可能な不揮発性のメモリであり、このフラッシュメモリ５５に記憶されたデータは、サーバ側ＭＦＰ５１の電源オフ後も保持される。フラッシュメモリ５５には、クライアント管理テーブルメモリ５５ａと、サーバ情報メモリ５５ｂと、原稿データメモリ５５ｃと、原稿データ蓄積フラグメモリ５５ｄと、通知待ちフラグメモリ５５ｅと、転送履歴メモリ５５ｆと、ユーザ管理テーブルメモリ５５ｇと、転送先管理テーブルメモリ５５ｈと、ＦＡＸ送信元メモリ５５ｉとが設けられている。
【０１４２】
クライアント管理テーブルメモリ５５ａ、サーバ情報メモリ５５ｂ、原稿データメモリ５５ｃ、原稿データ蓄積フラグメモリ５５ｄ、転送履歴メモリ５５ｆは、それぞれ、第１の実施形態（図１参照）で説明したクライアント管理テーブルメモリ１４ａ、サーバ情報メモリ１４ｂ、原稿データメモリ１４ｃ、原稿データ蓄積フラグメモリ１４ｅ、転送履歴メモリ１４ｇと同様に構成されているので、その説明を省略する。
【０１４３】
通知待ちフラグメモリ５５ｅは、通知待ちフラグを記憶するためのメモリである。第２の実施形態における通知待ちフラグは、特定の外部装置３００から送信されてくる原稿データを、その特定の外部装置３００に対応するユーザがログインしているクライアント側ＭＦＰ７１へ転送するか、転送を保留するかを示すフラグである。
【０１４４】
本発明の第２の実施形態では、インターネット２００を介して人検出通知（個人検出情報の一例）が通知される。具体的には、クライアント側ＭＦＰ７１では、ＲＦＩＤリーダ８０によりＩＣカードが読み取られると、そのＩＣカードの所有者（ユーザ）のユーザ名と、ログイン状態（ログイン中、または、ログアウト）と、クライアント情報メモリ７５ｂに記憶されている（自機の）名称と、（自機の）電話番号と、（自機の）ＩＰアドレスとを含む人検出通知用のＩＰパケットを生成し、サーバ側ＭＦＰ５１へ通知する。通知されたＩＰパケットによる人検出通知は、インターネット２００を介して、サーバ側ＭＦＰ５１により受信される。
【０１４５】
通知待ちフラグがオンの場合は、原稿データを転送するべきユーザが全てログアウト状態であることを示しており、原稿データの転送を保留する。通知待ちフラグがオフの場合は、特定の外部装置３００から送信されてくる原稿データを、その特定の外部装置３００に対応するユーザがログインしているクライアント側ＭＦＰ７１へ転送する。
【０１４６】
ユーザ管理テーブルメモリ５５ｇは、複数のクライアント側ＭＦＰ７１の中で、各ユーザが、どのクライアント側ＭＦＰ７１にログイン中であるかを示すユーザ管理テーブルを記憶するためのメモリであり、転送先管理テーブルメモリ５５ｈは、外部装置３００から送信されてきた原稿データを、どのユーザに転送するかを示す転送先管理テーブルを記憶するためのメモリである。
【０１４７】
ここで、図１１（ａ）を参照して、ユーザ管理テーブルメモリ５５ｇについて説明し、続けて、図１１（ｂ）を参照して、転送先管理テーブルメモリ５５ｈについて説明する。
【０１４８】
図１１（ａ）は、ユーザ管理テーブルメモリ５５ｇに記憶されているユーザ管理テーブルの内容の一例を示す概略図である。ユーザ管理テーブルメモリ５５ｇは、複数のクライアント側ＭＦＰ７１の中で、各ユーザが、どのクライアント側ＭＦＰ７１にログイン中であるかを示すユーザ管理テーブルを記憶するためのメモリである。
【０１４９】
ユーザ管理テーブルには、例えば、図１１（ａ）に示すように、一行ごとに、一のユーザについての情報（以下、「ユーザ情報」と称する）が記憶される。一のユーザ情報は、一のユーザ名と、一のユーザがログイン中、または、ログインしていたクライアント側ＭＦＰ７１のクライアント名と、一のユーザのログイン状態と、最終通知日時とにより構成されている。なお、最終通知日時とは、一のユーザのログイン状態の通知を、一のＭＦＰ７１から最後に受信した日時を示している。
【０１５０】
例えば、図１１（ａ）に示すように、一のユーザ情報は、ユーザ名「Ｙａｍａｄａ」、クライアント名「Ａ営業所」、ログイン状態「ログイン中」、および、最終通知日時「２００８／７／２  ９：００」という情報で構成されている。この場合は、ユーザ「Ｙａｍａｄａ」が、「Ａ営業所」という名称のクライアント側ＭＦＰ７１にログインしており、ログインしたという通知を受信した日時が、２００８年７月２日９時であることを示している。その他のクライアント情報についても、同様な説明となるのでその説明を省略する。
【０１５１】
次に、図１１（ｂ）を参照して、転送先管理テーブルメモリ５５ｈについて説明する。図１１（ｂ）は、転送先管理テーブルメモリ５５ｈに記憶されている転送先管理テーブルの内容の一例を示す概略図である。転送先管理テーブルメモリ５５ｈは、外部装置３００から送信されてきた原稿データを、どのユーザに転送するかを示す転送先管理テーブルを記憶するためのメモリである。
【０１５２】
転送先管理テーブルには、例えば、図１１（ｂ）に示すように、一行ごとに、一の外部装置３００から送信されてきた原稿データを、どのユーザに転送するかを示す転送先情報が記憶される。一の転送先情報は、一の外部装置３００の名称（又は、電話番号）を示すＦＡＸ送信元と、一の外部装置３００から送信されてくる原稿データを転送する転送先ユーザ名とにより構成されている。
【０１５３】
例えば、図１１（ｂ）に示すように、一の転送先情報は、ＦＡＸ送信元「Ｅ株式会社」、転送先ユーザ名「Ｙａｍａｄａ、Ｓａｔｏ」という情報で構成されている。この場合は、ＦＡＸ送信元「Ｅ株式会社」から送信されてきた原稿データを、ユーザ「Ｙａｍａｄａ」、および、ユーザ「Ｓａｔｏ」に転送することを示している。その他の転送先情報についても、同様な説明となるのでその説明を省略する。
【０１５４】
ＦＡＸ送信元メモリ５５ｉは、原稿データが、どの外部装置３００から送信されてきたかを示す情報を記憶するためのメモリである。外部装置３００からの原稿データを受信した場合には、その原稿データの送信元である外部装置３００の名称（又は、ＦＡＸ番号）が記憶される（図１５のＳ１３３参照）。
【０１５５】
ここで、サーバ側ＭＦＰ５１の説明に戻る。次に、図１０（ｂ）を参照して、操作キー５６の電気的構成について説明する。図１０（ｂ）は、サーバ側ＭＦＰ５１の操作キー５６の電気的構成を示すブロック図である。操作キー５６は、サーバ側ＭＦＰ５１を操作するための操作入力キーにより構成されており、クライアント管理キー５６ａや、転送先管理キー５６ｂや、数字キーなどの各種キーが設けられている。クライアント管理キー５６ａは、第１の実施形態で説明したクライアント管理キー１５ａと同様に構成されているので、その説明を省略する。転送先管理キー５６ｂは、外部装置３００から送信されてきた原稿データを、どのユーザに転送するかを示す転送先管理テーブルを管理するためのキーである。
【０１５６】
また、操作者は、操作キー５６の各種キーを押下することで、例えば、サーバ側ＭＦＰ５１についての情報（サーバ情報）をサーバ情報メモリ５５ｂに登録（記憶）したり、電源のオン／オフや、各機能の切り替えなどの操作を行うことができる。
【０１５７】
次に、図１０（ｃ）を参照して、第２の実施形態におけるクライアント側ＭＦＰ７１の電気的構成について説明する。図１０（ｃ）は、クライアント側ＭＦＰ７１の電気的構成を示すブロック図である。
【０１５８】
クライアント側ＭＦＰ７１は、ＣＰＵ７２、ＲＯＭ７３、ＲＡＭ７４、フラッシュメモリ７５、操作キー７６、ＬＣＤ７７、ＬＡＮインターフェース７８、計時回路７９、ＲＦＩＤリーダ８０、スキャナ８１、プリンタ８２、スピーカ８３、モデム８４、および、ＮＣＵ８５を主に有している。
【０１５９】
ＣＰＵ７２、ＲＯＭ７３、ＲＡＭ７４、および、フラッシュメモリ７５は、バスライン８６を介して互いに接続されている。また、操作キー７６、ＬＣＤ７７、ＬＡＮインターフェース７８、計時回路７９、ＲＦＩＤリーダ８０、スキャナ８１、プリンタ８２、スピーカ８３、モデム８４、ＮＣＵ８５、および、バスライン８６は、入出力ポート８７を介して互いに接続されている。また、モデム８４とＮＣＵ８５とは互いに接続されている。
【０１６０】
クライアント側ＭＦＰ７１の電気的構成を示すブロック図において、本発明の第１の実施形態であるクライアント側ＭＦＰ３１のブロック図（図１参照）と異なる部分は、ＲＯＭ７３、フラッシュメモリ７５、および、ＲＦＩＤリーダ８０であるため、ＲＯＭ７３、フラッシュメモリ７５、および、ＲＦＩＤリーダ８０についてのみ説明し、その他の同一部分については、その説明を省略する。
【０１６１】
ＲＯＭ７３は、クライアント側ＭＦＰ７１で実行される制御プログラムなどを格納した書換不能なメモリである。図８のフローチャートに示す設定処理、図１７のフローチャートに示すユーザ監視処理を実行する各プログラムは、このＲＯＭ７３に格納されている。
【０１６２】
フラッシュメモリ７５は書換可能な不揮発性のメモリであり、このフラッシュメモリ７５に記憶されたデータは、クライアント側ＭＦＰ７１の電源オフ後も保持される。フラッシュメモリ７５には、サーバ管理メモリ７５ａと、クライアント情報メモリ７５ｂと、ログイン管理テーブルメモリ７５ｃとが設けられている。
【０１６３】
サーバ管理メモリ７５ａ、クライアント情報メモリ７５ｂは、それぞれ、第１の実施形態で説明したサーバ管理メモリ５５ａ、クライアント情報メモリ５５ｂと同様に構成されているので、その説明を省略する。
【０１６４】
ログイン管理テーブルメモリ７５ｃは、クライアント側ＭＦＰ７１において、各ユーザがログイン中であるか、ログアウトしているかを示すログイン管理テーブルを記憶するためのメモリである。
【０１６５】
ここで、図１１（ｃ）を参照して、ログイン管理テーブルメモリ７５ｃについて説明する。図１１（ｃ）は、ログイン管理テーブルメモリ７５ｃに記憶されているログイン管理テーブルの内容の一例を示す概略図である。ログイン管理テーブルメモリ７５ｃは、クライアント側ＭＦＰ７１において、各ユーザがログイン中であるか、ログアウトしているかを示すログイン管理テーブルを記憶するためのメモリである。
【０１６６】
ログイン管理テーブルには、例えば、図１１（ｃ）に示すように、一行ごとに、一のユーザについてのログイン情報が記憶される。一のログイン情報は、一のユーザ名と、ログイン状態（ログイン中、または、ログアウト）、ログイン日時、および、ログアウト日時により構成されている。なお、ログイン日時は、一のユーザがＩＣカードをＲＦＩＤリーダ８０に読み取らせた日時（ログインした日時）を示しており、ログアウト日時は、一のユーザが、再度、ＩＣカードをＲＦＩＤリーダ８０により読み取らせた（ログアウトした日時）を示している。
【０１６７】
例えば、図１１（ｃ）に示すように、一のログイン情報は、ユーザ名「Ｙａｍａｄａ」、ログイン状態「ログイン中」、ログイン日時「２００８／７／２  ８：５５」、ログアウト日時「なし」という情報で構成されている。なお、このログイン管理テーブルは、Ａ営業所に設置されているクライアント側ＭＦＰ７１に記憶されているものとする。
【０１６８】
即ち、この場合は、Ａ営業所に設置されているクライアント側ＭＦＰ７１に、ユーザ「Ｙａｍａｄａ」がログインしており、ログインした日時が、２００８年７月２日８時５５分であることを示している。なお、まだログアウトしていないので、ログアウト時間についての日時はない。また、その他のクライアント情報についても、同様な説明となるのでその説明を省略する。また、ＩＣカードがＲＦＩＤリーダ８０に読み取られた場合に、ＩＣカードの所有者（ユーザ）のログイン情報が、ログイン管理テーブル中に無い場合は、そのユーザのログイン情報が、新たにログイン管理テーブルに追加される。
【０１６９】
次に、図１２を参照して、サーバ側ＭＦＰ５１のＣＰＵ５２により実行される設定処理について説明する。図１２は、サーバ側ＭＦＰ５１の設定処理を示すフローチャートである。なお、図３に示すフローチャートと同一部分については、同一の符号を付しその説明を省略し、異なる部分についてのみ説明する。
【０１７０】
この設定処理は、原稿データの転送先であるクライアント側ＭＦＰ５１についての情報（クライアント情報）を追加や削除したり、外部装置３００から送信されてくる原稿データを、どのユーザに転送するかなどの各種設定を行うための処理である。なお、設定処理は、サーバ側ＭＦＰ５１の主電源が投入されてから主電源が遮断されるまで繰り返し実行される処理である。
【０１７１】
設定処理では、まず、図３のＳ１〜Ｓ３の処理を実行する。次に、転送先管理キー５６ｂが押下されたかを判定する（Ｓ１０１）。転送先管理キー５６ｂが押下された場合は（Ｓ１０１：Ｙｅｓ）、操作者のキー操作に応じて、ＦＡＸ送信元と、そのＦＡＸ送信元から送信されてくる原稿データを受信した場合に、その原稿データを転送する転送先ユーザ名とを設定する（Ｓ１０２）。そして、設定された結果を転送先管理テーブルに反映して、転送先管理テーブルメモリ５５ｈに記憶し（Ｓ１０３）、Ｓ１の処理に戻り、上述したＳ１〜Ｓ１０３の各処理を繰り返す。
【０１７２】
Ｓ１０１の処理において、転送先管理キー５６ｂが押下されていない場合は（Ｓ１０１：Ｎｏ）、Ｓ１０２〜Ｓ１０３の処理をスキップして、Ｓ１の処理に戻り、上述したＳ１〜Ｓ１０１の各処理を繰り返す。
【０１７３】
次に、図１３を参照して、サーバ側ＭＦＰ５１のＣＰＵ５２により実行されるメイン処理について説明する。図１３は、サーバ側ＭＦＰ５１のメイン処理を示すフローチャートである。なお、図４に示すフローチャートと同一部分については、同一の符号を付しその説明を省略し、異なる部分についてのみ説明する。
【０１７４】
このメイン処理は、外部装置３００から送信されてくる原稿データを受信し、その受信した原稿データが特定の外部装置３００から送信されたものであれば、その原稿データを、特定の外部装置３００に対応するユーザがログインしているクライアント側ＭＦＰ７１へ転送するための処理である。なお、メイン処理は、サーバ側ＭＦＰ５１の主電源が投入されてから主電源が遮断されるまで繰り返し実行される処理である。
【０１７５】
メイン処理では、まず、インターネット２００を介して送信されてくる人検出通知、即ち、ＩＰパケットによる人検出通知を受信したかを判定する（Ｓ１２）。Ｓ１２の処理において、ＩＰパケットによる人検出通知を受信した場合は（Ｓ１２：Ｙｅｓ）、ユーザ管理テーブル更新処理を実行する（Ｓ１１１）。一方、Ｓ１２の処理においてＩＰパケットによる人検出通知を受信していない場合（Ｓ１２：Ｎｏ）は、Ｓ１１１の処理をスキップして、Ｓ１４の処理へ移行する。詳細については後述するが、ユーザ管理テーブル更新処理（Ｓ１１１）は、ＩＰパケットによる人検出通知を受信した場合に、ユーザ管理テーブルにおいて、受信した人検出通知に含まれているユーザ名に対応するユーザ情報（（ユーザがログインしている）クライアント名やログイン状態など）を更新するための処理である。
【０１７６】
次に、電話回線網１００からの着信を検出したかを判定し（Ｓ１４）、着信を検出した場合は（Ｓ１４：Ｙｅｓ）、着信処理を実行する（Ｓ１１２）。一方、着信を検出していない場合は（Ｓ１４：Ｎｏ）、Ｓ１１２の処理をスキップして、Ｓ１６の処理へ移行する。詳細については後述するが、着信処理（Ｓ１１２）は、外部装置３００から送信されてくる原稿データを受信して、受信した原稿データを原稿データメモリ５５ｃに記憶（蓄積）するための処理である。
【０１７７】
次に、原稿データ蓄積フラグメモリ５５ｄに記憶されている原稿データ蓄積フラグがオンであるかを判定する（Ｓ１６）。原稿データ蓄積フラグがオンである場合は（Ｓ１６：Ｙｅｓ）、転送するべき原稿データが原稿データメモリ５５ｃに記憶されている状態であるので、さらに、通知待ちフラグメモリ５５ｅに記憶されている通知待ちフラグがオンであるかを判定する（Ｓ１７）。
【０１７８】
Ｓ１７の処理において、通知待ちフラグがオンである場合は（Ｓ１７：Ｙｅｓ）、原稿データを転送するべきユーザが、全てログアウト状態であるため、どのクライアント側ＭＦＰ７１へ原稿データを転送したとしても、その原稿が、原稿データを転送するべきユーザへ届く可能性が低い。よって、原稿データを転送する原稿データ転送処理（Ｓ１１３）をスキップして、Ｓ１２の処理に戻り、上述したＳ１２〜Ｓ１７の各処理を繰り返す。
【０１７９】
一方、Ｓ１７の処理において、通知待ちフラグがオフである場合は（Ｓ１７：Ｎｏ）、原稿データ転送処理を実行し（Ｓ１１３）、Ｓ１２の処理に戻り、上述したＳ１２〜Ｓ１１３の各処理を繰り返す。詳細については後述するが、原稿データ転送処理（Ｓ１１３）は、原稿データメモリ５５ｃに記憶されている原稿データが、特定の外部装置３００から送信されてきたものである場合に、記憶されている原稿データを、その特定の外部装置３００に対応するユーザがログインしているクライアント側ＭＦＰ７１へ転送するための処理である。
【０１８０】
次に、図１４を参照して、サーバ側ＭＦＰ５１のＣＰＵ５２により実行されるユーザ管理テーブル更新処理（Ｓ１１１）について説明する。図１４は、サーバ側ＭＦＰ５１のユーザ管理テーブル更新処理（Ｓ１１１）を示すフローチャートである。このユーザ管理テーブル更新処理（Ｓ１１１）は、ＩＰパケットによる人検出通知を受信した場合に、ユーザ管理テーブルにおいて、受信した人検出通知に含まれているユーザ名に対応するユーザ情報（クライアント名やログイン状態など）を更新するための処理である。
【０１８１】
ユーザ管理テーブル更新処理では、まず、受信したＩＰパケットによる人検出通知に含まれているユーザ名を取得し（Ｓ１２１）、取得したユーザ名は、ユーザ管理テーブルメモリ５５ｇのユーザ管理テーブルに記憶されているユーザ名であるかを判定する（Ｓ１２２）。
【０１８２】
取得したユーザ名が、ユーザ管理テーブルに記憶されているユーザ名である場合は（Ｓ１２２：Ｙｅｓ）、計時回路７９から現在の日時を取得する（Ｓ１２３）。次に、ユーザ管理テーブルにおいて、取得したユーザ名に対応するクライアント名と、ログイン状態とを更新すると共に、クライアント名の最終通知日時を現在の日時に更新する（Ｓ１２４）。なお、ここで更新しているクライアント名や、ログイン状態などの情報は、ユーザ名と共に、受信した人検出通知の中に含まれている情報である（図１７のＳ１６７、図１７のＳ１７０参照）。そして、通知待ちフラグメモリ５５ｅに記憶されている通知待ちフラグをオフに設定して（Ｓ１２５）、このユーザ管理テーブル更新処理を終了する。
【０１８３】
Ｓ１２２の処理において、取得したユーザ名が、ユーザ管理テーブルに記憶されているユーザ名で無い場合は（Ｓ１２２：Ｎｏ）、原稿データの転送とは関係のないユーザが検出された場合の人検出通知であるので、何もせずに（即ち、Ｓ１２３〜Ｓ１２５をスキップして）、このユーザ管理テーブル更新処理を終了する。
【０１８４】
なお、Ｓ１２１およびＳ１２２の処理では、ユーザ名を特定するために、人検出通知に含まれているユーザ名を確認しているが、ユーザを特定できる情報（個人情報の一例）であれば、ユーザ名以外の情報を確認しても良い。例えば、ユーザ名に対応するＩＤ番号（社員番号）でも良い。
【０１８５】
また、人検出通知の中には、クライアント側ＭＦＰ７１を特定するために、クライアント側ＭＦＰ７１の名称（クライアント名）や、ＩＰアドレスなどの情報（識別情報の一例）が含まれているが（図１７のＳ１６７、図１７のＳ１７０参照）、クライアント側ＭＦＰ７１を特定できる情報であれば、他の情報を含めても良い。例えば、クライアント側ＭＦＰ７１ごとに固有に定められているＩＤや、インターネット２００上の呼称（ドメイン名）などでも良い。また、人検出通知には、ユーザ名を特定できる情報と、クライアント側ＭＦＰ７１を特定できる情報とが、少なくとも１つずつ含まれていれば良い。
【０１８６】
以上の図１４のフローチャートのユーザ管理テーブル更新処理により、ＩＰパケットによる人検出通知を受信した場合に、ユーザ管理テーブルにおいて、受信した人検出通知に含まれているユーザ名に対応するユーザ情報（クライアント名やログイン状態など）を更新することができる。なお、クライアント側ＭＦＰ７１では、ＲＦＩＤリーダ８０によりＩＣカードが読み取られる度に、インターネット２００を介して、そのＩＣカードの所有者（ユーザ）のログイン状態などの情報を含む人検出通知をサーバ側ＭＦＰ５１へ通知するので、サーバ側ＭＦＰ５１では、ユーザ管理テーブルメモ５５ａのユーザ管理テーブルを、常に最新の状態に更新することができる。
【０１８７】
次に、図１５を参照して、サーバ側ＭＦＰ５１のＣＰＵ５２により実行される着信処理（Ｓ１１２）について説明する。図１５は、サーバ側ＭＦＰ５１の着信処理（Ｓ１１２）を示すフローチャートである。この着信処理（Ｓ１１２）は、外部装置３００から送信されてくる原稿データを受信して、受信した原稿データを原稿データメモリ５５ｃに記憶（蓄積）するための処理である。
【０１８８】
着信処理では、まず、電話回線網１００を介して、外部装置３００との接続を行って（Ｓ１３１）、外部装置３００から送信されてくる原稿データを受信し、受信した原稿データを原稿データメモリ５５ｃに記憶する（Ｓ１３２）。次に、その外部装置３００の名称（または、ＦＡＸ番号）をＦＡＸ送信元メモリ５５ｉに記憶して（Ｓ１３３）、外部装置３００との接続を終了する（Ｓ１３４）。そして、原稿データ蓄積フラグメモリ５５ｄに記憶されている原稿データ蓄積フラグをオンに設定して、この着信処理を終了する。
【０１８９】
次に、図１６を参照して、サーバ側ＭＦＰ５１のＣＰＵ５２により実行される原稿データ転送処理（Ｓ１１３）について説明する。図１６は、サーバ側ＭＦＰ５１の原稿データ転送処理（Ｓ１１３）を示すフローチャートである。この原稿データ転送処理（Ｓ１１３）は、原稿データメモリ５５ｃに記憶されている原稿データが、特定の外部装置３００から送信されてきたものである場合に、記憶されている原稿データを、その特定の外部装置３００に対応するユーザがログインしているクライアント側ＭＦＰ７１へ転送するための処理である。
【０１９０】
原稿データ転送処理では、まず、ＦＡＸ送信元メモリ５５ｉに記憶されている外部装置３００の名称（または、ＦＡＸ番号）を取得する（Ｓ１４１）。そして、転送先管理テーブルメモリ５５ｈに記憶されている転送先管理テーブルにおいて、取得した名称（または、ＦＡＸ番号）に対応する転送先ユーザ名を全て抽出する（Ｓ１４２）。
【０１９１】
次に、ユーザ管理テーブルメモリ５５ｇに記憶されているユーザ管理テーブルにおいて、抽出した全ユーザ名のログイン状態がログアウトであるかを判定する（Ｓ１４３）。抽出した全ユーザ名のログイン状態がログアウトである場合は（Ｓ１４３：Ｙｅｓ）、原稿データを転送するべきユーザが、全てログアウト状態であるため、どのクライアント側ＭＦＰ７１へ原稿データを転送したとしても、その原稿が、原稿データを転送するべきユーザへ届く可能性が低い。よって、Ｓ１４５〜Ｓ１５５の処理をスキップして、通知待ちフラグメモリ５５ｅに記憶されている通知待ちフラグをオンに設定して（Ｓ１４４）、原稿データを転送するべきユーザがログインしたことを示す人検出通知が通知されてくるまで、原稿データの転送を保留する設定とし、この原稿データ転送処理を終了する。
【０１９２】
Ｓ１４３の処理において、抽出した何れかのユーザ名のログイン状態がログイン中である場合は（Ｓ１４３：Ｎｏ）、ユーザ管理テーブルメモリ５５ｇのユーザ管理テーブルにおいて、抽出したユーザ名の中から、ログイン状態がログイン中であるユーザ名を一つ抽出する（Ｓ１４５）。
【０１９３】
そして、ユーザ管理テーブルメモリ５５ｇのユーザ管理テーブルにおいて、取得したユーザ名に対応するクライアント名を取得し（Ｓ１４６）、クライアント管理テーブルメモリ５５ａのクライアント管理テーブルにおいて、取得したクライアント名に対応する電話番号を取得する（Ｓ１４７）。
【０１９４】
次に、取得した電話番号へ発信し（Ｓ１４８）、原稿データメモリ５５ｃに記憶されている原稿データをクライアント側ＭＦＰ７１へ送信する（Ｓ１４９）。このＳ１４９の処理により送信された原稿データが、クライアント側ＭＦＰ７１により受信されると、その原稿データが、クライアント側ＭＦＰ７１のプリンタ８１により印刷される。
【０１９５】
そして、原稿データの送信が正常に終了したかを判定し（Ｓ１５０）、原稿データの送信が正常に終了しなかった場合は（Ｓ１５０：Ｎｏ）、一定時間（例えば、３０秒）待機して（Ｓ１５１）、Ｓ１４８の処理に戻り、Ｓ１４８〜Ｓ１５１の処理を繰り返し、原稿データの再送信を試みる。
【０１９６】
Ｓ１５０の処理において、原稿データの送信が正常に終了した場合は（Ｓ１５０：Ｙｅｓ）、Ｓ１４５の処理において、ログイン状態がログイン中であるユーザ名を全て取得したかを判定し（Ｓ１５２）、まだ、取得していないユーザ名が残っている場合は（Ｓ１５２：Ｎｏ）、Ｓ１４５の処理に戻り、上述したＳ１４５〜Ｓ１５２の各処理を繰り返す。
【０１９７】
Ｓ１５２の処理において、ログイン状態がログイン中であるユーザ名を全て取得した場合は（Ｓ１５２：Ｙｅｓ）、送信が正常に終了した原稿データを、原稿データメモリ５５ｃから削除し（Ｓ１５３）、原稿データの転送結果を、転送履歴メモリ５５ｆに記憶すると共に、プリンタ６２により印刷する（Ｓ１５４）。この原稿データの転送結果は、例えば、外部装置３００から受信する原稿の案件ごとに記憶する。具体的には、原稿データの送信元のＦＡＸ番号（又は、社名などの名称）と、その原稿データの受信日時と、送信元に対応するユーザ名と、原稿を転送したクライアント側ＭＦＰ７１のＦＡＸ番号（又は、名称）と、その原稿の転送日時とを記憶する。そして、原稿データ蓄積フラグメモリ５５ｄに記憶されている原稿データ蓄積フラグをオフに設定して（Ｓ１５５）、この原稿データ転送処理を終了する。
【０１９８】
例えば、ユーザ管理テーブルの状態が、図１１（ａ）に示す状態であり、ＦＡＸ送信元メモリ５５ｉに「Ｅ株式会社」と記憶されている場合は、原稿データメモリ５５ｃに記憶されている原稿データが、「Ｅ株式会社」の外部装置３００から送信されてきたものであることを示している。「Ｅ株式会社」の外部装置３００からの原稿データは、ユーザ名「Ｙａｍａｄａ」および「Ｓａｔｏ」に転送されることになるが、ログイン中のユーザは「Ｙａｍａｄａ」のみであるため、ユーザ「Ｙａｍａｄａ」がログイン中であるクライアント名が「Ａ営業所」であるクライアント側ＭＦＰ７１へのみ、原稿データが転送される。
【０１９９】
なお、ユーザ「Ｙａｍａｄａ」および「Ｓａｔｏ」の両方のログイン状態が、ログアウトである場合は、ユーザ「Ｙａｍａｄａ」および「Ｓａｔｏ」の一方のログイン状態がログイン中となるまで、転送が保留され、一方のユーザがログイン中となったクライアント側ＭＦＰ７１へ、原稿データが転送される。
【０２００】
以上の図１６のフローチャートの原稿データ転送処理により、原稿データメモリ５５ｃに記憶されている原稿データが、特定の外部装置３００から送信されてきたものである場合に、記憶されている原稿データを、その特定の外部装置３００に対応するユーザがログインしているクライアント側ＭＦＰ７１へ転送することができる。
【０２０１】
次に、図１７を参照して、クライアント側ＭＦＰ７１のＣＰＵ７２により実行されるユーザ監視処理について説明する。図１７は、クライアント側ＭＦＰ７１のユーザ監視処理を示すフローチャートである。
【０２０２】
このユーザ監視処理は、ＲＦＩＤリーダ８０によりＩＣカードが読み取られた場合に、ログイン管理テーブルメモリ７５ｃのログイン管理テーブルにおいて、そのＩＣカードの所有者（ユーザ）のログイン状態（ログイン中、または、ログアウト）を更新すると共に、そのユーザのログイン状態をサーバ側ＭＦＰ５１へ通知するための処理である。なお、ユーザ監視処理は、クライアント側ＭＦＰ７１の主電源が投入されてから主電源が遮断されるまで繰り返し実行される処理である。
【０２０３】
ユーザ監視処理では、まず、ＲＦＩＤリーダ８０によりＩＣカードが読み取られたかを判定し（Ｓ１６１）、ＲＦＩＤリーダ８０によりＩＣカードが読み取られていなければ（Ｓ１６１：Ｎｏ）、ＩＣカードが読み取られるまで待機する。
【０２０４】
Ｓ１６１の処理において、ＩＣカードが読み取られた場合は（Ｓ１６１：Ｙｅｓ）、ＩＣカードに登録されているユーザ名を取得し（Ｓ１６２）、ログイン管理テーブルメモリ７５ｃのログイン管理テーブルにおいて、取得したユーザ名のログイン状態を取得する（Ｓ１６３）。
【０２０５】
次に、その取得したユーザ名のログイン状態が「ログアウト」であるかを判定する（Ｓ１６４）。取得したユーザ名のログイン状態が「ログアウト」である場合は（Ｓ１６４：Ｙｅｓ）、今回のＲＦＩＤリーダ８０によるＩＣカードの読み取りにより、ユーザのログイン状態が、「ログアウト」から「ログイン中」に変更される。即ち、ログイン管理テーブルメモリ７５ｃのログイン管理テーブルにおいて、取得したユーザ名のログイン状態を「ログイン中」に設定し（Ｓ１６５）、ログイン管理テーブルメモリ７５ｃのログイン管理テーブルにおいて、取得したユーザ名のログイン日時に、現在日時を記憶する（Ｓ１６６）。
【０２０６】
次に、取得したユーザ名と、ログイン状態「ログイン中」と、クライアント情報メモリ７５ｂに記憶されている（自機の）名称（即ち、クライアント名）と、（自機の）ＩＰアドレスとを含む人検出通知用のＩＰパケットを生成する（Ｓ１６７）。そして、生成したＩＰパケットを、サーバ管理メモリ７５ａに記憶されているサーバ側ＭＦＰ５１のＩＰアドレスへ送信し（Ｓ１７１）、Ｓ１６１の処理に戻り、上述したＳ１６１〜Ｓ１７１の各処理を繰り返す。
【０２０７】
Ｓ１６４の処理において、取得したユーザ名のログイン状態が「ログイン中」である場合は（Ｓ１６４：Ｎｏ）、今回のＲＦＩＤリーダ８０によるＩＣカードの読み取りにより、ユーザのログイン状態が、「ログイン中」から「ログアウト」に変更される。即ち、ログイン管理テーブルメモリ７５ｃのログイン管理テーブルにおいて、取得したユーザ名のログイン状態を「ログアウト」に設定し（Ｓ１６８）、ログイン管理テーブルメモリ７５ｃのログイン管理テーブルにおいて、取得したユーザ名のログイン日時に、現在日時を記憶する（Ｓ１６９）。
【０２０８】
次に、取得したユーザ名と、ログイン状態「ログアウト」と、クライアント情報メモリ７５ｂに記憶されている（自機の）名称（即ち、クライアント名）と、（自機の）ＩＰアドレスとを含む人検出通知用のＩＰパケットを生成する（Ｓ１７０）。そして、生成したＩＰパケットを、サーバ管理メモリ７５ａに記憶されているサーバ側ＭＦＰ５１のＩＰアドレスへ送信し（Ｓ１７１）、Ｓ１６１の処理に戻り、上述したＳ１６１〜Ｓ１７１の各処理を繰り返す。
【０２０９】
以上の図１７のフローチャートのユーザ監視処理により、ＲＦＩＤリーダ８０によりＩＣカードが読み取られる度に、インターネット２００を介して、そのＩＣカードの所有者（ユーザ）のログイン状態などの情報を含む人検出通知をサーバ側ＭＦＰ５１へ通知することができるので、サーバ側ＭＦＰ５１では、ユーザ管理テーブルメモ５５ａのユーザ管理テーブルを、常に最新の状態に更新することができる。
【０２１０】
以上、上述した通り、本発明の第２の実施形態における通信システムでは、各クライアント側ＭＦＰ７１において、ＲＦＩＤリーダ８０によりＩＣカードが読み取られた場合に、そのＩＣカードの所有者（ユーザ）のログイン情報などの情報を含む人検出通知がサーバ側ＭＦＰ５１へ通知される。そして、サーバ側ＭＦＰ５１では、外部装置３００から送信されてくる原稿データを受信した場合に、その原稿データが、特定の外部装置３００から送信されてきたものであれば、その特定の外部装置３００に対応するユーザがログインしているクライアント側ＭＦＰ７１へ、受信した原稿データを転送することができる。よって、特定の外部装置３００から原稿データが送信されてきた場合に、その原稿データを人が手動で転送するよりも、特定のユーザへより早く送達することができる。
【０２１１】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０２１２】
例えば、上記の第１の実施形態では、外部装置３００から送信される原稿データが、サーバ側ＭＦＰ１により全て受信さているが、クライアント側ＭＦＰ３１により受信される構成であっても良い。例えば、外部装置３００から送信される原稿データが、クライアント側ＭＦＰ３１により受信された場合には、人感センサ４０により人が検出されているかを判定し、人が検出されている場合は、クライアント側ＭＦＰ３１のプリンタ４２で、受信した原稿データを印刷する。一方、人が検出されていない場合は、受信した原稿データをサーバ側ＭＦＰ１へ転送する。このように構成すれば、サーバ側ＭＦＰ１に転送された原稿データが、さらに、サーバ側ＭＦＰ１から周辺に人がいるクライアント側ＭＦＰ３１に転送されるので、転送された原稿データが、転送先のクライアント側ＭＦＰ３１において出力され、その原稿が長時間（例えば、１〜２日など）放置される可能性を低くできる。
【０２１３】
また、上記の第１の実施形態では、サーバ側ＭＦＰ１に人感センサが設けられていないが、人感センサを設けておき、外部装置３００から送信される原稿データを受信した場合に、人感センサにより人が検出された場合は、プリンタ２１で原稿データを印刷する。そして、人感センサにより人が検出されていない場合のみ、受信した原稿データをクライアント側ＭＦＰ３１へ転送するように構成しても良い。これにより、サーバ側ＭＦＰ１およびクライアント側ＭＦＰ３１のハード構成が同一となるので、例えば、一のＭＦＰに、サーバおよびクライアントの両方の機能を持たせておき、スイッチなどで機能を切り替えるように構成しても良い。サーバ側ＭＦＰ１およびクライアント側ＭＦＰ３１のハード構成を同一とすることができるので、製造コストを抑制することができる。
【０２１４】
また、上記の第１の実施形態では、サーバ側ＭＦＰ１は、インターネット２００、および、電話回線網１００の何れか一方を介して、人検出通知を受信しているが、インターネット２００、および、電話回線網１００の両方を介して、人検出通知を受信できるように構成しても良い。
【０２１５】
また、上記の第１の実施形態では、サーバ側ＭＦＰ１は、インターネット２００、および、電話回線網１００の何れか一方を操作者が選択して、選択した方法でサーバ側ＭＦＰ１が人検出通知を受信しているが、サーバ側ＭＦＰ１が、常にインターネット２００を介して人検出通知を受信するように構成しても良い。また、サーバ側ＭＦＰ１が、常に電話回線網１００を介して人検出通知を受信するように構成しても良い。
【０２１６】
また、上記の第１の実施形態では、サーバ側ＭＦＰ１は、１回以下の着呼（電話交換機からの呼出信号）であれば、着呼（電話交換機からの呼出信号）に応じた鳴動（スピーカ２２からの発音）を禁止しているが、常に、着呼に応じて鳴動させる構成としても良い。
【０２１７】
また、上記の第２の実施形態では、インターネット２００を介して、クライアント側ＭＦＰ７１からサーバ側ＭＦＰ５１へ人検出通知が通知されるが、上記の第１の実施形態と同様に、電話回線網１００を介しても、人検出通知が通知できるように構成しても良い。その場合は、人検出通知により、ユーザ名やログイン状態など複数の情報を送信しなければならないので、サーバ側ＭＦＰ５１と、クライアント側ＭＦＰ７１との間の接続を確立して、データ通信を行うように構成する。これにより、インターネット２００が一時不通となった場合でも、電話回線網１００により人検出通知を通知することができる。
【０２１８】
また、上記の実施形態では、電話回線網１００を介して、サーバ側ＭＦＰ１，５１から、クライアント側ＭＦＰ３１，７１へ、原稿データを転送しているが、インターネット２００を介して、原稿データを転送するように構成しても良い。例えば、電子メールや、ＦＴＰ（Ｆｉｌｅ  Ｔｒａｎｓｆｅｒ  Ｐｒｏｔｏｃｏｌ）や、ＨＴＴＰ（Ｈｙｐｅｒｔｅｘｔ  Ｔｒａｎｓｆｅｒ  Ｐｒｏｔｏｃｏｌ）などにより、原稿データを転送する。インターネット２００介して、原稿データを転送することにより、電話回線網１００を使用してデータ通信した場合に発生する通信料金を抑制することができる。
【０２１９】
また、上記の実施形態のクライアント側ＭＦＰでは、人感センサ、または、ＲＦＩＤリーダの一方が設けられているが、人感センサおよびＲＦＩＤリーダの両方を設けた構成であっても良い。これにより、クライアント側ＭＦＰが特定の外部装置３００から原稿データを受信した場合に、人感センサにより人が検出されており、且つ、特定の外部装置３００に対応するユーザがログインしている場合に、そのユーザがログインしているクライアント側ＭＦＰへ、原稿データを転送することにより、転送された原稿データが、転送先のクライアント側ＭＦＰ３１において出力され、その原稿が長時間（例えば、１〜２日など）放置される可能性をさらに低くできる。
【０２２０】
また、上記の実施形態では、原稿データの転送結果を、サーバ側ＭＦＰ１，５１でのみ印刷しているが、原稿データをクライアント側ＭＦＰ３１，７１へ転送した時に、原稿データの転送結果も一緒に送信して、原稿データの転送結果が、クライアント側ＭＦＰ３１，７１で印刷されるように構成しても良い。
【０２２１】
また、上記の実施形態のファクシミリ転送システムは、一のサーバ側ＭＦＰ１，５１と、複数のクライアント側ＭＦＰ３１，７１とにより構成されているが、一のサーバ側ＭＦＰ１，５１と、一のクライアント側ＭＦＰ３１，７１とにより構成しても良い。
【０２２２】
また、上記の実施形態では、人体（移動体）を検出する人感センサ４０として、人体などが発する赤外線を検出する焦電型赤外線センサを用いているが、人体（移動体）を検出可能な他のセンサ、例えば、光電センサや、距離測定センサ、振動センサなどの公知のセンサを使用しても良い。
【０２２３】
また、上記の実施形態のファクシミリ転送システムは、サーバ側ＭＦＰ１，５１と、クライアント側ＭＦＰ３１，７１とにより構成されているが、例えば、クライアント側ＭＦＰ３１，７１がネットワークプリンタである場合にも、本発明を適用することができる。即ち、ネットワークプリンタに人感センサまたはＲＦＩＤリーダを設けておき、サーバ側ＭＦＰ１，５１で、原稿データが受信された場合に、周辺に人がいるネットワークプリンタに、インターネット２００（例えば、社内ＬＡＮ）を介して原稿データを転送して、ネットワークプリンタから出力させる。原稿データを周辺に人がいるネットワークプリンタに原稿を出力するので、その原稿が長時間（例えば、１〜２日など）放置される可能性を低くできる。
【図面の簡単な説明】
【０２２４】
【図１】本発明の第１の実施形態におけるサーバ装置を有したサーバ側ＭＦＰと、クライアント装置を有したクライアント側ＭＦＰとの電気的構成を示すブロック図である。
【図２】（ａ）は、クライアント管理テーブルメモリの内容の一例を示す概略図であり、（ｂ）は、サーバ情報メモリの内容の一例を示す概略図である。（ｃ）は、サーバ管理メモリの内容の一例を示す概略図であり、（ｄ）は、クライアント情報メモリの内容の一例を示す概略図である。
【図３】サーバ側ＭＦＰの設定処理を示すフローチャートである。
【図４】サーバ側ＭＦＰメイン処理を示すフローチャートである。
【図５】サーバ側ＭＦＰのクライアント管理テーブル更新処理を示すフローチャートである。
【図６】サーバ側ＭＦＰの着信処理を示すフローチャートである。
【図７】サーバ側ＭＦＰの原稿データ転送処理を示すフローチャートである。
【図８】クライアント側ＭＦＰの設定処理を示すフローチャートである。
【図９】クライアント側ＭＦＰの人検出通知処理を示すフローチャートである。
【図１０】（ａ）及び（ｂ）は、サーバ側ＭＦＰの電気的構成を示すブロック図であり、（ｃ）は、クライアント側ＭＦＰの電気的構成を示すブロック図である。
【図１１】（ａ）は、ユーザ管理テーブルメモリの内容の一例を示す概略図であり、（ｂ）は、転送先管理テーブルメモリの内容の一例を示す概略図であり、（ｃ）は、ログイン管理テーブルメモリの内容の一例を示す概略図である。
【図１２】サーバ側ＭＦＰの設定処理を示すフローチャートである。
【図１３】サーバ側ＭＦＰのメイン処理を示すフローチャートである。
【図１４】サーバ側ＭＦＰのユーザ管理テーブル更新処理を示すフローチャートである。
【図１５】サーバ側ＭＦＰの着信処理を示すフローチャートである。
【図１６】サーバ側ＭＦＰの原稿データ転送処理を示すフローチャートである。
【図１７】クライアント側ＭＦＰのユーザ監視処理を示すフローチャートである。
【符号の説明】
【０２２５】
１、５１            サーバ側ＭＦＰ（サーバ装置の一例）
１４ａ              クライアント管理テーブルメモリ（順序記憶手段の一例、通知記憶手段の一例）
１４ｃ、５５ｃ      原稿データメモリ（受信情報記憶手段の一例）
１４ｇ、５５ｆ      転送履歴メモリ（履歴記憶手段の一例）
２１、６２          プリンタ（出力手段の一例）
２２                スピーカ（鳴動手段の一例）
２４                ＮＣＵ（応答信号送信手段の一例）
３１、７１          クライアント側ＭＦＰ（クライアント装置の一例）
４０                人感センサ（検出手段の一例）
７５ｃ              ログイン管理テーブルメモリ（個人情報記憶手段の一例）
８０                ＲＦＩＤリーダ（読取手段の一例）
Ｓ１３              第２の記憶実行手段の一例
Ｓ１８              ファクシミリ情報送信手段の一例
Ｓ３１〜Ｓ３４      鳴動禁止手段の一例
Ｓ３２，Ｓ３３，Ｓ３９〜Ｓ４２    第１の記憶実行手段の一例
Ｓ５１              識別情報取得手段の一例
Ｓ５２，Ｓ５６      送信禁止手段の一例
Ｓ８１              検出判定手段一例
Ｓ８５、Ｓ８９      通知禁止手段
Ｓ８６，Ｓ８７、Ｓ９０〜Ｓ９２    通知手段の一例
Ｓ９０              要求送信手段の一例
Ｓ９２              要求中止手段の一例
Ｓ１２２            個人情報判定手段の一例
Ｓ１２３，Ｓ１２４  第３の記憶実行手段の一例
【図１】
2010045743.tif 000003
【図２】
2010045743.tif 000004
【図３】
2010045743.tif 000005
【図４】
2010045743.tif 000006
【図５】
2010045743.tif 000007
【図６】
2010045743.tif 000008
【図７】
2010045743.tif 000009
【図８】
2010045743.tif 000010
【図９】
2010045743.tif 000011
【図１０】
2010045743.tif 000012
【図１１】
2010045743.tif 000013
【図１２】
2010045743.tif 000014
【図１３】
2010045743.tif 000015
【図１４】
2010045743.tif 000016
【図１５】
2010045743.tif 000017
【図１６】
2010045743.tif 000018
【図１７】
2010045743.tif 000019